(57)【要約】本発明は、無線通信システムにおいてＶ２Ｘ（ｖｅｈｉｃｌｅ−ｔｏ−Ｘ）端末により行われる従来のＴＴＩ（ｌｅｇａｃｙ  ｔｒａｎｓｍｉｓｓｉｏｎ  ｔｉｍｅ  ｉｎｔｅｒｖａｌ；Ｌ−ＴＴＩ）に比べて相対的に短いＴＴＩ（ｓｈｏｒｔ  ｔｒａｎｓｍｉｓｓｉｏｎ  ｔｉｍｅ  ｉｎｔｅｒｖａｌ；Ｓ−ＴＴＩ）基盤のＶ２Ｘ通信遂行方法であって、ＤＭＲＳ（ｄｅｍｏｄｕｌａｔｉｏｎ  ｒｅｆｅｒｅｎｃｅ  ｓｉｇｎａｌ）シーケンス生成に使用される情報及びチャネルスクランブリングに使用される情報を決定し、前記決定に基づいて前記Ｓ−ＴＴＩ基盤のＶ２Ｘ通信を行うものの、前記Ｌ−ＴＴＩは、複数の前記Ｓ−ＴＴＩに対応することを特徴とする方法を提供する。
2020511905.tif 000002
【特許請求の範囲】
【請求項１】
無線通信システムにおいてＶ２Ｘ（ｖｅｈｉｃｌｅ−ｔｏ−Ｘ）端末により行われる従来のＴＴＩ（ｌｅｇａｃｙ  ｔｒａｎｓｍｉｓｓｉｏｎ  ｔｉｍｅ  ｉｎｔｅｒｖａｌ；Ｌ−ＴＴＩ）に比べて相対的に短いＴＴＩ（ｓｈｏｒｔ  ｔｒａｎｓｍｉｓｓｉｏｎ  ｔｉｍｅ  ｉｎｔｅｒｖａｌ；Ｓ−ＴＴＩ）基盤のＶ２Ｘ通信遂行方法であって、
ＤＭＲＳ（ｄｅｍｏｄｕｌａｔｉｏｎ  ｒｅｆｅｒｅｎｃｅ  ｓｉｇｎａｌ）シーケンス生成に使用される情報及びチャネルスクランブリングに使用される情報を決定し、
前記決定に基づいて前記Ｓ−ＴＴＩ基盤のＶ２Ｘ通信を行うものの、
前記Ｌ−ＴＴＩは、複数の前記Ｓ−ＴＴＩに対応することを特徴とする、方法。
【請求項２】
前記ＤＭＲＳシーケンス生成に使用される情報は、前記Ｓ−ＴＴＩ単位で決定されるか、又は、前記Ｌ−ＴＴＩ単位で決定されることを特徴とする、請求項１に記載の方法。
【請求項３】
前記ＤＭＲＳシーケンス生成に使用される情報が前記Ｓ−ＴＴＩ単位で決定される場合、前記ＤＭＲＳシーケンス生成に使用される情報は、それぞれのＳ−ＴＴＩ別に異なる値を有するものの、一つのフレームにおいて順次に増加されることを特徴とする、請求項２に記載の方法。
【請求項４】
前記ＤＭＲＳシーケンス生成に使用される情報は、次の式に従うものの、
ＤＭＲＳシーケンス生成に使用される情報＝（Ｎ＊Ｋ＋Ｑ−１）、
前記Ｎは、前記一つのフレームにおいて前記Ｌ−ＴＴＩのインデックスに対する値であるものの、
前記Ｎは、０より同じであるか又は大きく、９よりは同じであるか又は小さく、
前記Ｋは、前記Ｌ−ＴＴＩに含まれるＳ−ＴＴＩの個数に対する値であるものの、
前記Ｋは、正の整数で、前記Ｑは、前記Ｓ−ＴＴＩが前記Ｌ−ＴＴＩにおいて何番目のＳ−ＴＴＩであるかに対する値であるものの、
前記Ｑは、前記Ｋより同じであるか又は小さな値を有することを特徴とする、請求項３に記載の方法。
【請求項５】
前記ＤＭＲＳシーケンス生成に使用される情報が前記Ｌ−ＴＴＩ単位で決定される場合、前記ＤＭＲＳシーケンス生成に使用される情報は、同じＬ−ＴＴＩでは同じ値を有することを特徴とする、請求項２に記載の方法。
【請求項６】
前記ＤＭＲＳシーケンス生成に使用される情報は、次の式に従うものの、
ＤＭＲＳシーケンス生成に使用される情報＝（Ｎ＊２＋（Ｊ  ＭＯＤＵＬＯ  ２））、
前記Ｎは、前記一つのフレームにおいて前記Ｌ−ＴＴＩのインデックスに対する値であるものの、前記Ｎは０より同じであるか又は大きく、９よりは同じであるか又は小さく、
前記Ｊは、前記一つのフレームにおいて前記Ｌ−ＴＴＩに基づいたスロットのインデックスに対する値であるものの、前記Ｊは０より同じであるか又は大きく、１９より同じであるか又は小さく、
前記ＭＯＤＵＬＯは、モジュラー演算であることを特徴とする、請求項５に記載の方法。
【請求項７】
前記モジュラー演算は、残りの値を算出する演算であることを特徴とする、請求項６に記載の方法。
【請求項８】
前記チャネルスクランブリングに使用される情報は、前記Ｓ−ＴＴＩ単位で決定されるか、又は、前記ＤＭＲＳシーケンス生成に使用される情報と同じ値を有するか、又は、事前に設定された複数のＳ−ＴＴＩが同じ値を有するように決定されることを特徴とする、請求項１に記載の方法。
【請求項９】
前記Ｓ−ＴＴＩが基本資源ユニットである場合、前記Ｌ−ＴＴＩは、Ｋ個の基本資源ユニットの結合であるものの、
前記Ｋは、正の整数であることを特徴とする、請求項１に記載の方法。
【請求項１０】
前記Ｌ−ＴＴＩが基本資源ユニットである場合、前記Ｓ−ＴＴＩは、前記基本資源ユニットがＸ個に分割されたことであるものの、
前記Ｘは、正の整数であることを特徴とする、請求項１に記載の方法。
【請求項１１】
前記Ｖ２Ｘ端末は、前記Ｌ−ＴＴＩ基盤のＶ２Ｘ通信と前記Ｓ−ＴＴＩ基盤のＶ２Ｘ通信が共存しているかどうかを決定し、
前記Ｖ２Ｘ端末は、前記Ｌ−ＴＴＩ基盤のＶ２Ｘ通信と前記Ｓ−ＴＴＩ基盤のＶ２Ｘ通信が共存しているかどうかに基づいて、前記ＤＭＲＳシーケンス生成に使用される情報及び前記チャネルスクランブリングに使用される情報を決定することを特徴とする、請求項１に記載の方法。
【請求項１２】
前記Ｖ２Ｘ端末は、前記ＤＭＲＳシーケンス生成に使用される情報は、前記Ｌ−ＴＴＩ単位で決定し、
前記Ｖ２Ｘ端末は、前記チャネルスクランブリングに使用される情報は、前記Ｓ−ＴＴＩ単位で決定することを特徴とする、請求項１に記載の方法。
【請求項１３】
前記ＤＭＲＳにシーケンス生成に使用される情報及び前記チャネルスクランブリングに使用される情報は、端末に予め設定されたことを特徴とする、請求項１に記載の方法。
【請求項１４】
従来のＴＴＩ（ｌｅｇａｃｙ  ｔｒａｎｓｍｉｓｓｉｏｎ  ｔｉｍｅ  ｉｎｔｅｒｖａｌ；Ｌ−ＴＴＩ）に比べて相対的に短いＴＴＩ（ｓｈｏｒｔ  ｔｒａｎｓｍｉｓｓｉｏｎ  ｔｉｍｅ  ｉｎｔｅｒｖａｌ；Ｓ−ＴＴＩ）基盤のＶ２Ｘ通信を行うＶ２Ｘ（Ｖｅｈｉｃｌｅ−ｔｏ−Ｘ）端末（Ｕｓｅｒ  ｅｑｕｉｐｍｅｎｔ；ＵＥ）は、
無線信号を送信及び受信するＲＦ（Ｒａｄｉｏ  Ｆｒｅｑｕｅｎｃｙ）トランシバ（ｔｒａｎｓｃｅｉｖｅｒ）と、
前記ＲＦトランシバと結合して動作するプロセッサとを備えてなり、
前記プロセッサは、
ＤＭＲＳ（ｄｅｍｏｄｕｌａｔｉｏｎ  ｒｅｆｅｒｅｎｃｅ  ｓｉｇｎａｌ）シーケンス生成に使用される情報及びチャネルスクランブリングに使用される情報を決定し、
前記決定に基づいて前記Ｓ−ＴＴＩ基盤のＶ２Ｘ通信を行うものの、
前記Ｌ−ＴＴＩは、複数の前記Ｓ−ＴＴＩに対応することを特徴とする、Ｖ２Ｘ端末。
【発明の詳細な説明】
【技術分野】
【０００１】
本発明は、無線通信に関し、さらに詳細には、無線通信システムにおいてＶ２Ｘ端末により行われるＶ２Ｘ通信遂行方法及び前記方法を利用する端末に関する。
【背景技術】
【０００２】
ＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏ  ｃｏｍｍｕｎｉｃａｔｉｏｎ  ｓｅｃｔｏｒ）では、３世代以降の次世代移動通信システムであるＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−Ａｄｖａｎｃｅｄの標準化作業を進めている。ＩＭＴ−Ａｄｖａｎｃｅｄは、停止及び低速の移動状態で１Ｇｂｐｓ、高速の移動状態で１００Ｍｂｐｓのデータ転送レートでＩＰ（Ｉｎｔｅｒｎｅｔ  Ｐｒｏｔｏｃｏｌ）ベースのマルチメディアサービス支援を目標とする。
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）は、ＩＭＴ−Ａｄｖａｎｃｅｄの要求事項を満たすシステム標準としてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）／ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）転送方式ベースであるＬＴＥ（Ｌｏｎｇ  Ｔｅｒｍ  Ｅｖｏｌｕｔｉｏｎ）を改善したＬＴＥ−Ａｄｖａｎｃｅｄ（ＬＴＥ−Ａ）を準備している。ＬＴＥ−Ａは、ＩＭＴ−Ａｄｖａｎｃｅｄのための有力な候補のうちの一つである。
【０００４】
最近装置間直接通信をするＤ２Ｄ（Ｄｅｖｉｃｅ−ｔｏ−Ｄｅｖｉｃｅ）技術に対する関心が高まっている。特に、Ｄ２Ｄは、公衆安全ネットワーク（ｐｕｂｌｉｃ  ｓａｆｅｔｙ  ｎｅｔｗｏｒｋ）のための通信技術として注目されている。商業的通信ネットワークは、速くＬＴＥに変化しているが、既存通信規格との衝突問題と費用側面において現在の公衆安全ネットワークは、主に２Ｇ技術に基盤している。このような技術間隙と改善されたサービスに対する要求は、公衆安全ネットワークを改善しようとする努力に続けられている。
【０００５】
上述のＤ２Ｄ通信を拡張して車両間の信号送受信に適用でき、車両（ＶＥＨＩＣＬＥ）と関連した通信を特にＶ２Ｘ（ＶＥＨＩＣＬＥ−ＴＯ−ＥＶＥＲＹＴＨＩＮＧ）通信と呼ぶ。Ｖ２Ｘにおいて「Ｘ」という用語は、ＰＥＤＥＳＴＲＩＡＮ（ＣＯＭＭＵＮＩＣＡＴＩＯＮ  ＢＥＴＷＥＥＮ  Ａ  ＶＥＨＩＣＬＥ  ＡＮＤ  Ａ  ＤＥＶＩＣＥ  ＣＡＲＲＩＥＤ  ＢＹ  ＡＮ  ＩＮＤＩＶＩＤＵＡＬ（例：ＨＡＮＤＨＥＬＤ  ＴＥＲＭＩＮＡＬ  ＣＡＲＲＩＥＤ  ＢＹ  Ａ  ＰＥＤＥＳＴＲＩＡＮ，  ＣＹＣＬＩＳＴ，  ＤＲＩＶＥＲ  ＯＲ  ＰＡＳＳＥＮＧＥＲ）、このとき、Ｖ２Ｘは、Ｖ２Ｐと表示できる）、ＶＥＨＩＣＬＥ  （ＣＯＭＭＵＮＩＣＡＴＩＯＮ  ＢＥＴＷＥＥＮ  ＶＥＨＩＣＬＥＳ）  （Ｖ２Ｖ），  ＩＮＦＲＡＳＴＲＵＣＴＵＲＥ／ＮＥＴＷＯＲＫ  （ＣＯＭＭＵＮＩＣＡＴＩＯＮ  ＢＥＴＷＥＥＮ  Ａ  ＶＥＨＩＣＬＥ  ＡＮＤ  Ａ  ＲＯＡＤＳＩＤＥ  ＵＮＩＴ  （ＲＳＵ）／ＮＥＴＷＯＲＫ  （例）  ＲＳＵ  ＩＳ  Ａ  ＴＲＡＮＳＰＯＲＴＡＴＩＯＮ  ＩＮＦＲＡＳＴＲＵＣＴＵＲＥ  ＥＮＴＩＴＹ  （例）  ＡＮ  ＥＮＴＩＴＹ  ＴＲＡＮＳＭＩＴＴＩＮＧ  ＳＰＥＥＤ  ＮＯＴＩＦＩＣＡＴＩＯＮＳ）  ＩＭＰＬＥＭＥＮＴＥＤ  ＩＮ  ＡＮ  ｅＮＢ  ＯＲ  Ａ  ＳＴＡＴＩＯＮＡＲＹ  ＵＥ））  （Ｖ２Ｉ／Ｎ）などを意味する。歩行者（あるいは人）が所持した（Ｖ２Ｐ通信関連）デバイスを「Ｐ−ＵＥ」と名付け、ＶＥＨＩＣＬＥに設置された（Ｖ２Ｘ通信関連）デバイスを「Ｖ−ＵＥ」と名付ける。本発明において「エンティティ（ＥＮＴＩＴＹ）」用語は、Ｐ−ＵＥ、Ｖ−ＵＥ、ＲＳＵ（／ＮＥＴＷＯＲＫ／ＩＮＦＲＡＳＴＲＵＣＴＵＲＥ）のうち、少なくとも一つと解析されることができる。
【０００６】
上述のように、従来の場合、ＴＲＡＮＳＭＩＳＳＩＯＮ  ＴＩＭＥ  ＩＮＴＥＲＶＡＬ（ＴＴＩ）が１ｍｓ単位で決定された。今後の通信システムでは、従来に比べて短いＴＴＩ基盤のＶ２Ｘ通信が導入されると仮定される。
【０００７】
以上のような状況において、従来では、従来のＴＴＩ（例えば、１ｍｓ）に基づいた無線通信を行う端末のみが存在すると仮定されたから、端末が短いＴＴＩ基盤のＶ２Ｘ通信を行う時にどんな方式でＤＭＲＳを生成するか、シーケンスジェネレーションをどんな方式で行うかに対する別の定義がなかった。
【０００８】
そのため、短いＴＴＩ基盤のＶ２Ｘ通信を行う端末は、どんな方式でＤＭＲＳを生成するか、そしてシーケンスジェネレーションをどんな方式で行うかに対する定義が必要となる。
【０００９】
以下、前記の問題点を解決するために、端末がＳ−ＴＴＩに基づいたＶ２Ｘ通信のために、ＤＭＲＳに対した情報及びスクランブリングに対する情報を決定する方法及びこれを利用する装置について説明する。
【発明の概要】
【発明が解決しようとする課題】
【００１０】
本発明が解決しようとする技術的課題は、無線通信システムにおいてＶ２Ｘ端末により行われるＶ２Ｘ通信遂行方法及びこれを利用する端末を提供ことである。
【課題を解決するための手段】
【００１１】
本発明の一実施形態によれば、無線通信システムにおいてＶ２Ｘ（ｖｅｈｉｃｌｅ−ｔｏ−Ｘ）端末により行われる従来のＴＴＩ（ｌｅｇａｃｙ  ｔｒａｎｓｍｉｓｓｉｏｎ  ｔｉｍｅ  ｉｎｔｅｒｖａｌ；Ｌ−ＴＴＩ）に比べて相対的に短いＴＴＩ（ｓｈｏｒｔ  ｔｒａｎｓｍｉｓｓｉｏｎ  ｔｉｍｅ  ｉｎｔｅｒｖａｌ；Ｓ−ＴＴＩ）基盤のＶ２Ｘ通信遂行方法であって、ＤＭＲＳ（ｄｅｍｏｄｕｌａｔｉｏｎ  ｒｅｆｅｒｅｎｃｅ  ｓｉｇｎａｌ）シーケンス生成に使用される情報及びチャネルスクランブリングに使用される情報を決定し、前記決定に基づいて前記Ｓ−ＴＴＩ基盤のＶ２Ｘ通信を行うものの、前記Ｌ−ＴＴＩは、複数の前記Ｓ−ＴＴＩに対応することを特徴とする方法が提供される。
【００１２】
このとき、前記ＤＭＲＳシーケンス生成に使用される情報は、前記Ｓ−ＴＴＩ単位で決定されるか、または前記Ｌ−ＴＴＩ単位で決定されることができる。
【００１３】
このとき、前記ＤＭＲＳシーケンス生成に使用される情報が前記Ｓ−ＴＴＩ単位で決定される場合、前記ＤＭＲＳシーケンス生成に使用される情報は、それぞれのＳ−ＴＴＩ別に異なる値を有するものの、一つのフレームにおいて順次に増加されることができる。
【００１４】
このとき、前記ＤＭＲＳシーケンス生成に使用される情報は、次の式に従うものの、ＤＭＲＳシーケンス生成に使用される情報＝（Ｎ＊Ｋ＋Ｑ−１）、前記Ｎは、前記一つのフレームにおいて前記Ｌ−ＴＴＩのインデックスに対する値であるものの、前記Ｎは、０より同じであるか、または大きく、９よりは同じであるか、または小さく、前記Ｋは、前記Ｌ−ＴＴＩに含まれるＳ−ＴＴＩの個数に対する値であるものの、前記Ｋは、正の整数で、前記Ｑは、前記Ｓ−ＴＴＩが前記Ｌ−ＴＴＩにおいて何番目のＳ−ＴＴＩであるかに対する値であるものの、前記Ｑは、前記Ｋより同じであるか、または小さな値を有することができる。
【００１５】
このとき、前記ＤＭＲＳシーケンス生成に使用される情報が前記Ｌ−ＴＴＩ単位で決定される場合、前記ＤＭＲＳシーケンス生成に使用される情報は、同じＬ−ＴＴＩでは同じ値を有することができる。
【００１６】
このとき、前記ＤＭＲＳシーケンス生成に使用される情報は、次の式に従うものの、ＤＭＲＳシーケンス生成に使用される情報＝（Ｎ＊２＋（Ｊ  ＭＯＤＵＬＯ  ２））、前記Ｎは、前記一つのフレームにおいて前記Ｌ−ＴＴＩのインデックスに対する値であるものの、前記Ｎは、０より同じであるか、または大きく、９よりは同じであるか、または小さく、前記Ｊは、前記一つのフレームにおいて前記Ｌ−ＴＴＩに基づいたスロットのインデックスに対する値であるものの、前記Ｊは、０より同じであるか、または大きく、１９より同じであるか、または小さく、前記ＭＯＤＵＬＯは、モジュラー演算でありうる。
【００１７】
このとき、前記モジュラー演算は、残りの値を算出する演算でありうる。
【００１８】
このとき、前記チャネルスクランブリングに使用される情報は、前記Ｓ−ＴＴＩ単位で決定されるか、または前記ＤＭＲＳシーケンス生成に使用される情報と同じ値を有するか、または事前に設定された複数のＳ−ＴＴＩが同じ値を有するように決定されることができる。
【００１９】
このとき、前記Ｓ−ＴＴＩが基本資源ユニットである場合、前記Ｌ−ＴＴＩは、Ｋ個の基本資源ユニットの結合であるものの、前記Ｋは、正の整数でありうる。
【００２０】
このとき、前記Ｌ−ＴＴＩが基本資源ユニットである場合、前記Ｓ−ＴＴＩは、前記基本資源ユニットがＸ個に分割されたことであるものの、前記Ｘは、正の整数でありうる。
【００２１】
このとき、前記Ｖ２Ｘ端末は、前記Ｌ−ＴＴＩ基盤のＶ２Ｘ通信と前記Ｓ−ＴＴＩ基盤のＶ２Ｘ通信が共存しているかどうかを決定し、前記Ｖ２Ｘ端末は、前記Ｌ−ＴＴＩ基盤のＶ２Ｘ通信と前記Ｓ−ＴＴＩ基盤のＶ２Ｘ通信が共存しているかどうかに基づいて、前記ＤＭＲＳシーケンス生成に使用される情報及び前記チャネルスクランブリングに使用される情報を決定することができる。
【００２２】
このとき、前記Ｖ２Ｘ端末は、前記ＤＭＲＳシーケンス生成に使用される情報は、前記Ｌ−ＴＴＩ単位で決定し、前記Ｖ２Ｘ端末は、前記チャネルスクランブリングに使用される情報は、前記Ｓ−ＴＴＩ単位で決定することができる。
【００２３】
このとき、前記ＤＭＲＳにシーケンス生成に使用される情報及び前記チャネルスクランブリングに使用される情報は、端末に予め設定されたことでありうる。
【００２４】
本発明の他の実施形態によれば、従来のＴＴＩ（ｌｅｇａｃｙ  ｔｒａｎｓｍｉｓｓｉｏｎ  ｔｉｍｅ  ｉｎｔｅｒｖａｌ；Ｌ−ＴＴＩ）に比べて相対的に短いＴＴＩ（ｓｈｏｒｔ  ｔｒａｎｓｍｉｓｓｉｏｎ  ｔｉｍｅ  ｉｎｔｅｒｖａｌ；Ｓ−ＴＴＩ）基盤のＶ２Ｘ通信を行うＶ２Ｘ（Ｖｅｈｉｃｌｅ−ｔｏ−Ｘ）端末（Ｕｓｅｒ  ｅｑｕｉｐｍｅｎｔ；ＵＥ）は、無線信号を送信及び受信するＲＦ（Ｒａｄｉｏ  Ｆｒｅｑｕｅｎｃｙ）トランシバ（ｔｒａｎｓｃｅｉｖｅｒ）と、前記ＲＦトランシバと結合して動作するプロセッサとを含むものの、前記プロセッサは、ＤＭＲＳ（ｄｅｍｏｄｕｌａｔｉｏｎ  ｒｅｆｅｒｅｎｃｅ  ｓｉｇｎａｌ）シーケンス生成に使用される情報及びチャネルスクランブリングに使用される情報を決定し、前記決定に基づいて前記Ｓ−ＴＴＩ基盤のＶ２Ｘ通信を行うものの、前記Ｌ−ＴＴＩは、複数の前記Ｓ−ＴＴＩに対応することを特徴とする。
【発明の効果】
【００２５】
本発明によれば、Ｓ−ＴＴＩ基盤の端末は、ＤＭＲＳ生成に使用されるパラメータをＳ−ＴＴＩを基準とするか、あるいはＬ−ＴＴＩを基準にするかに対して定義される。チャネルスクランブリングに関して、Ｓ−ＴＴＩ基盤の端末は、チャネルスクランブリングに使用されるパラメータをＳ−ＴＴＩを基準とするか、あるいはＬ−ＴＴＩを基準とするかに対しても定義される。
【図面の簡単な説明】
【００２６】
【図１】本発明が適用されることができる無線通信システムを例示する。
【図２】ＰｒｏＳｅのための基準構造を示す。
【図３】ＰｒｏＳｅ直接通信を行う端末とセルカバレッジの配置例を示す。
【図４】ＰｒｏＳｅ直接通信のためのユーザ平面プロトコルスタックを示す。
【図５】Ｄ２Ｄ発見のためのＰＣ５インターフェスを示す。
【図６】３ＧＰＰ  ＬＴＥの無線フレーム（ｒａｄｉｏ  ｆｒａｍｅ）構造を示す。
【図７】ＴＤＤ（Ｔｉｍｅ Ｄｉｖｉｓｉｏｎ Ｄｕｐｌｅｘ）無線フレームの構造を示す。
【図８】一つのダウンリンクスロットに対する資源グリッド（ｒｅｓｏｕｒｃｅ ｇｒｉｄ）を示した例示図である。
【図９】ダウンリンクサブフレームの構造を示す。
【図１０】Ｓ−ＴＴＩとＬ−ＴＴＩの一例を概略的に示す図である。
【図１１】Ｓ−ＴＴＩとＬ−ＴＴＩの他の例を概略的に示す図である。
【図１２】Ｓ−ＴＴＩとＬ−ＴＴＩのさらに他の例を概略的に示す図である。
【図１３】本発明の一実施形態による、Ｓ−ＴＴＩに基づいたＶ２Ｘ通信遂行方法のフローチャートである。
【図１４】（規則＃Ａ）による、Ｓ−Ｎ＿ＳＳ値を付与する方法の一例を概略的に示す図である。
【図１５】（規則＃Ｂ）による、Ｓ−Ｎ＿ＳＳ値を付与する方法の一例を概略的に示す図である。
【図１６】（例示＃３）によるＣＢＲ及び／またはＣＲ測定方法の一例を概略的に示す図である。
【図１７】本発明の他の実施の形態による、Ｓ−ＴＴＩに基づいたＶ２Ｘ通信遂行方法のフローチャートである。
【図１８】本発明の実施形態が具現される通信装置を示したブロック図である。
【発明を実施するための形態】
【００２７】
以下で説明される明細書の用語の定義と用語の略語は、別の記載がない限り、３ｇｐｐ  ＴＳ  ３６シリーズで定義されることができる。
【００２８】
図１は、本発明が適用され得る無線通信システムを例示する。これは、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムと呼ばれることができる。
【００２９】
Ｅ−ＵＴＲＡＮは、端末１０（Ｕｓｅｒ  Ｅｑｕｉｐｍｅｎｔ、ＵＥ）にコントロールプレーン（ｃｏｎｔｒｏｌ  ｐｌａｎｅ）とユーザープレーン（ｕｓｅｒ  ｐｌａｎｅ）を提供する基地局２０（Ｂａｓｅ  Ｓｔａｔｉｏｎ、ＢＳ）とを含む。端末１０は、固定されるか、または移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることができる。基地局２０は、端末１０と通信する固定された支点（ｆｉｘｅｄ  ｓｔａｔｉｏｎ）をいい、ｅＮＢ（ｅｖｏｌｖｅｄ-ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。
【００３０】
基地局２０は、Ｘ２インターフェースを介して互いに接続されることができる。基地局２０は、Ｓ１インターフェースを介してＥＰＣ（Ｅｖｏｌｖｅｄ Ｐａｃｋｅｔ  Ｃｏｒｅ）３０、さらに詳細には、Ｓ１-ＭＭＥを介してＭＭＥ（Ｍｏｂｉｌｉｔｙ  Ｍａｎａｇｅｍｅｎｔ  Ｅｎｔｉｔｙ）とＳ１-Ｕを介してＳ−ＧＷ（Ｓｅｒｖｉｎｇ  Ｇａｔｅｗａｙ）と接続される。
【００３１】
ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）から構成される。ＭＭＥは、端末の接続情報または端末の能力に関する情報を有しており、このような情報は、端末の移動性管理に主に使用される。Ｓ−ＧＷは、Ｅ−ＵＴＲＡＮを終端点として有するゲートウェイであり、Ｐ−ＧＷは、ＰＤＮを終端点として有するゲートウェイである。
【００３２】
端末とネットワークとの間の無線インターフェースプロトコル（Ｒａｄｉｏ  Ｉｎｔｅｒｆａｃｅ  Ｐｒｏｔｏｃｏｌ）の層は、通信システムにおいて広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個層に基づいてＬ１（第１層）、Ｌ２（第２層）、Ｌ３（第３層）に区分されることができるが、この中で第１層に属する物理層は、物理チャネル（Ｐｈｙｓｉｃａｌ  Ｃｈａｎｎｅｌ）を利用した情報送信サービス（Ｉｎｆｏｒｍａｔｉｏｎ  Ｔｒａｎｓｆｅｒ  Ｓｅｒｖｉｃｅ）を提供し、第３層に位置するＲＲＣ（Ｒａｄｉｏ  Ｒｅｓｏｕｒｃｅ  Ｃｏｎｔｒｏｌ）層は、端末とネットワークとの間に無線資源を制御する役割を行う。このために、ＲＲＣ層は、端末と基地局との間のＲＲＣメッセージを交換する。
【００３３】
以下、Ｄ２Ｄ動作について説明する。３ＧＰＰ  ＬＴＥ−Ａでは、Ｄ２Ｄ動作と関連したサービスを近接性基盤サービス（Ｐｒｏｘｉｍｉｔｙ  ｂａｓｅｄ  Ｓｅｒｖｉｃｅｓ：ＰｒｏＳｅ）と称する。以下、ＰｒｏＳｅは、Ｄ２Ｄ動作と同等な概念であり、ＰｒｏＳｅは、Ｄ２Ｄ動作と混用されうる。以下、ＰｒｏＳｅについて述べる。
【００３４】
ＰｒｏＳｅには、ＰｒｏＳｅ直接通信（ｃｏｍｍｕｎｉｃａｔｉｏｎ）とＰｒｏＳｅ直接発見（ｄｉｒｅｃｔ  ｄｉｓｃｏｖｅｒｙ）がある。ＰｒｏＳｅ直接通信は、近接した２以上の端末間で行われる通信のことをいう。前記端末は、ユーザ平面のプロトコルを利用して通信を行うことができる。ＰｒｏＳｅ可能端末（ＰｒｏＳｅ−ｅｎａｂｌｅｄ  ＵＥ）は、ＰｒｏＳｅの要求条件と関連した手順を支援する端末を意味する。特別な他の言及がない限り、ＰｒｏＳｅ可能端末は、公用安全端末（ｐｕｂｌｉｃ  ｓａｆｅｔｙ  ＵＥ）と非−公用安全端末（ｎｏｎ−ｐｕｂｌｉｃ  ｓａｆｅｔｙ  ＵＥ）を全部含む。公用安全端末は、公用安全に特化した機能とＰｒｏＳｅ過程を全部支援する端末で、非−公用安全端末は、ＰｒｏＳｅ過程は支援するが、公用安全に特化した機能は支援しない端末である。
【００３５】
ＰｒｏＳｅ直接発見（ＰｒｏＳｅ  ｄｉｒｅｃｔ  ｄｉｓｃｏｖｅｒｙ）は、ＰｒｏＳｅ可能端末が隣接した他のＰｒｏＳｅ可能端末を発見するための過程であり、このとき、前記２個のＰｒｏＳｅ可能端末の能力のみを使用する。ＥＰＣ次元のＰｒｏＳｅ発見（ＥＰＣ−ｌｅｖｅｌ  ＰｒｏＳｅ  ｄｉｓｃｏｖｅｒｙ）は、ＥＰＣが２個のＰｒｏＳｅ可能端末が近接したかどうかを判断し、前記２個のＰｒｏＳｅ可能端末にそれらの近接を知らせる過程を意味する。
【００３６】
以下、便宜上ＰｒｏＳｅ直接通信は、Ｄ２Ｄ通信、ＰｒｏＳｅ直接発見は、Ｄ２Ｄ発見と称することができる。
【００３７】
図２は、ＰｒｏＳｅのための基準構造を示す。
【００３８】
図２を参照すると、ＰｒｏＳｅのための基準構造は、Ｅ−ＵＴＲＡＮ、ＥＰＣ、ＰｒｏＳｅ応用プログラムを含む複数の端末、ＰｒｏＳｅ応用サーバ（ＰｒｏＳｅ  ＡＰＰ  ｓｅｒｖｅｒ）、及びＰｒｏＳｅ機能（ＰｒｏＳｅ  ｆｕｎｃｔｉｏｎ）を含む。
【００３９】
ＥＰＣは、Ｅ−ＵＴＲＡＮコアネットワーク構造を代表する。ＥＰＣは、ＭＭＥ、Ｓ−ＧＷ、Ｐ−ＧＷ、政策及び課金規則（ｐｏｌｉｃｙ  ａｎｄ  ｃｈａｒｇｉｎｇ  ｒｕｌｅｓ  ｆｕｎｃｔｉｏｎ：ＰＣＲＦ）、ホーム加入者サーバ（ｈｏｍｅ  ｓｕｂｓｃｒｉｂｅｒ  ｓｅｒｖｅｒ：ＨＳＳ）などを含むことができる。
【００４０】
ＰｒｏＳｅ応用サーバは、応用機能を作るためのＰｒｏＳｅ能力のユーザである。ＰｒｏＳｅ応用サーバは、端末内の応用プログラムと通信できる。端末内の応用プログラムは、応用機能を作るためのＰｒｏＳｅ能力を使用することができる。
【００４１】
ＰｒｏＳｅ機能は、次のうち、少なくとも一つを含むことができるが、必ずこれに限定されるものではない。
【００４２】
−第３者応用プログラムに向けた基準点を介したインターワーキング（Ｉｎｔｅｒｗｏｒｋｉｎｇ  ｖｉａ  ａ  ｒｅｆｅｒｅｎｃｅ  ｐｏｉｎｔ  ｔｏｗａｒｄｓ  ｔｈｅ  ３ｒｄ  ｐａｒｔｙ  ａｐｐｌｉｃａｔｉｏｎｓ）
【００４３】
−発見及び直接通信のための認証及び端末に対する設定（Ａｕｔｈｏｒｉｚａｔｉｏｎ  ａｎｄ  ｃｏｎｆｉｇｕｒａｔｉｏｎ  ｏｆ  ｔｈｅ  ＵＥ  ｆｏｒ  ｄｉｓｃｏｖｅｒｙ  ａｎｄ  ｄｉｒｅｃｔ  ｃｏｍｍｕｎｉｃａｔｉｏｎ）
【００４４】
−ＥＰＣ次元のＰｒｏＳｅ発見の機能（Ｅｎａｂｌｅ  ｔｈｅ  ｆｕｎｃｔｉｏｎａｌｉｔｙ  ｏｆ  ｔｈｅ  ＥＰＣ  ｌｅｖｅｌ  ＰｒｏＳｅ  ｄｉｓｃｏｖｅｒｙ）
【００４５】
−ＰｒｏＳｅ関連した新しい加入者データ及びデータ格納調整、ＰｒｏＳｅ  ＩＤの調整（ＰｒｏＳｅ  ｒｅｌａｔｅｄ  ｎｅｗ  ｓｕｂｓｃｒｉｂｅｒ  ｄａｔａ  ａｎｄ  ｈａｎｄｌｉｎｇ  ｏｆ  ｄａｔａ  ｓｔｏｒａｇｅ，ａｎｄ  ａｌｓｏ  ｈａｎｄｌｉｎｇ  ｏｆ  ＰｒｏＳｅ  ｉｄｅｎｔｉｔｉｅｓ）
【００４６】
−セキュリティー関連機能（Ｓｅｃｕｒｉｔｙ  ｒｅｌａｔｅｄ  ｆｕｎｃｔｉｏｎａｌｉｔｙ）
【００４７】
−政策関連機能のためにＥＰＣに向かった制御提供（Ｐｒｏｖｉｄｅ  ｃｏｎｔｒｏｌ  ｔｏｗａｒｄｓ  ｔｈｅ  ＥＰＣ  ｆｏｒ  ｐｏｌｉｃｙ  ｒｅｌａｔｅｄ  ｆｕｎｃｔｉｏｎａｌｉｔｙ）
【００４８】
−課金のための機能提供（Ｐｒｏｖｉｄｅ  ｆｕｎｃｔｉｏｎａｌｉｔｙ  ｆｏｒ  ｃｈａｒｇｉｎｇ（ｖｉａ  ｏｒ  ｏｕｔｓｉｄｅ  ｏｆ  ＥＰＣ，ｅ．ｇ．，ｏｆｆｌｉｎｅ  ｃｈａｒｇｉｎｇ））
【００４９】
以下、ＰｒｏＳｅのための基準構造において基準点と基準インターフェスを説明する。
【００５０】
−ＰＣ１：端末内のＰｒｏＳｅ応用プログラムとＰｒｏＳｅ応用サーバ内のＰｒｏＳｅ応用プログラム間の基準点である。これは、応用次元においてシグナリング要求条件を定義するために使用される。
【００５１】
−ＰＣ２：ＰｒｏＳｅ応用サーバとＰｒｏＳｅ機能間の基準点である。これは、ＰｒｏＳｅ応用サーバとＰｒｏＳｅ機能間の相互作用を定義するために使用される。ＰｒｏＳｅ機能のＰｒｏＳｅデータベースの応用データアップデートが前記相互作用の一例になることができる。
【００５２】
−ＰＣ３：端末とＰｒｏＳｅ機能間の基準点である。端末とＰｒｏＳｅ機能間の相互作用を定義するために使用される。ＰｒｏＳｅ発見及び通信のための設定が前記相互作用の一例になることができる。
【００５３】
−ＰＣ４：ＥＰＣとＰｒｏＳｅ機能間の基準点である。ＥＰＣとＰｒｏＳｅ機能間の相互作用を定義するために使用される。前記相互作用は、端末の間に１：１通信のための経路を設定する時、またはリアルタイムセッション管理または移動性管理のためのＰｒｏＳｅサービス認証する時を例示できる。
【００５４】
−ＰＣ５：端末同士に発見及び通信、中継、１：１通信のために制御／ユーザ平面を使用するための基準点である。
【００５５】
−ＰＣ６：互いに異なるＰＬＭＮに属したユーザの間にＰｒｏＳｅ発見のような機能を使用するための基準点である。
【００５６】
−ＳＧｉ：応用データ及び応用次元制御情報交換のために使用されることができる。
【００５７】
＜ＰｒｏＳｅ直接通信（Ｄ２Ｄ通信）：ＰｒｏＳｅ  Ｄｉｒｅｃｔ  Ｃｏｍｍｕｎｉｃａｔｉｏｎ＞。
【００５８】
ＰｒｏＳｅ直接通信は、２個の供用安全端末がＰＣ５インターフェスを介して直接通信できる通信モードである。この通信モードは、端末がＥ−ＵＴＲＡＮのカバレッジ内でサービスを受ける場合、またはＥ−ＵＴＲＡＮのカバレッジから外れた場合、両方とも支援されることができる。
【００５９】
図３は、ＰｒｏＳｅ直接通信を行う端末とセルカバレッジの配置例を示す。
【００６０】
図３（ａ）を参照すると、端末Ａ、Ｂは、セルカバレッジの外側に位置できる。図３（ｂ）を参照すると、端末Ａは、セルカバレッジ内に位置し、端末Ｂは、セルカバレッジの外側に位置できる。図５（ｃ）を参照すると、端末Ａ、Ｂは、全部単一セルカバレッジ内に位置できる。図５（ｄ）を参照すると、端末Ａは、第１セルのカバレッジ内に位置し、端末Ｂは、第２セルのカバレッジ内に位置できる。
【００６１】
ＰｒｏＳｅ直接通信は、図５のように多様な位置にある端末の間に行われることができる。
【００６２】
一方、ＰｒｏＳｅ直接通信には、次のＩＤが使用されることができる。
【００６３】
ソース階層−２  ＩＤ：このＩＤは、ＰＣ５インターフェスでパケットの転送者を識別させる。
【００６４】
目的階層−２  ＩＤ：このＩＤは、ＰＣ５インターフェスでパケットのターゲットを識別させる。
【００６５】
ＳＡ  Ｌ１  ＩＤ：このＩＤは、ＰＣ５インターフェスでスケジューリング割り当て（ｓｃｈｅｄｕｌｉｎｇ  ａｓｓｉｇｎｍｅｎｔ：ＳＡ）でのＩＤである。
【００６６】
図４は、ＰｒｏＳｅ直接通信のためのユーザ平面プロトコルスタックを示す。
【００６７】
図４を参照すると、ＰＣ５インターフェスは、ＰＤＣＨ、ＲＬＣ、ＭＡＣ及びＰＨＹ階層から構成される。
【００６８】
ＰｒｏＳｅ直接通信では、ＨＡＲＱフィードバックがないことができる。ＭＡＣヘッダは、ソース階層−２  ＩＤ及び目的階層−２  ＩＤを含むことができる。
【００６９】
＜ＰｒｏＳｅ直接通信のための無線資源割り当て＞。
【００７０】
ＰｒｏＳｅ可能端末は、ＰｒｏＳｅ直接通信のための資源割り当てに対して次の２通りのモードを利用できる。
【００７１】
１．モード１
【００７２】
モード１は、ＰｒｏＳｅ直接通信のための資源を基地局からスケジューリングされるモードである。モード１によって端末がデータを転送するためには、ＲＲＣ＿ＣＯＮＮＥＣＴＥＤ状態でなければならない。端末は、転送資源を基地局に要請し、基地局は、スケジューリング割り当て及びデータ転送のための資源をスケジューリングする。端末は、基地局にスケジューリング要請を転送し、ＰｒｏＳｅ  ＢＳＲ（Ｂｕｆｆｅｒ  Ｓｔａｔｕｓ  Ｒｅｐｏｒｔ）を転送できる。基地局は、ＰｒｏＳｅ  ＢＳＲに基づいて、前記端末がＰｒｏＳｅ直接通信をするデータを有しており、この転送のための資源が必要であると判断する。
【００７３】
２．モード２
【００７４】
モード２は、端末が直接資源を選択するモードである。端末は、資源プール（ｒｅｓｏｕｒｃｅ  ｐｏｏｌ）から直接ＰｒｏＳｅ直接通信のための資源を選択する。資源プールは、ネットワークによって設定されるか、または予め決まることができる。
【００７５】
一方、端末がサービングセルを有している場合、すなわち、端末が基地局とＲＲＣ＿ＣＯＮＮＥＣＴＥＤ状態にあるか、またはＲＲＣ＿ＩＤＬＥ状態で特定セルに位置した場合には、前記端末は、基地局のカバレッジ内にあると見なされる。
【００７６】
端末がカバレッジの外側にある場合、前記モード２だけが適用されることができる。仮に、端末がカバレッジ内にある場合、基地局の設定によってモード１またはモード２を使用することができる。
【００７７】
他の例外的な条件がない場合、基地局が設定した時においてのみ、端末は、モード１からモード２に、またはモード２からモード１にモードを変更することができる。
【００７８】
＜ＰｒｏＳｅ直接発見（Ｄ２Ｄ発見）：ＰｒｏＳｅ  ｄｉｒｅｃｔ  ｄｉｓｃｏｖｅｒｙ＞
【００７９】
ＰｒｏＳｅ直接発見は、ＰｒｏＳｅ可能端末が近接した他のＰｒｏＳｅ可能端末を発見するのに使用される手順のことを言い、Ｄ２Ｄ直接発見またはＤ２Ｄ発見とも称する。このとき、ＰＣ５インターフェスを介したＥ−ＵＴＲＡ無線信号が使用されることができる。ＰｒｏＳｅ直接発見に使用される情報を以下発見情報（ｄｉｓｃｏｖｅｒｙ  ｉｎｆｏｒｍａｔｉｏｎ）と称する。
【００８０】
図５は、Ｄ２Ｄ発見のためのＰＣ５インターフェスを示す。
【００８１】
図５を参照すると、ＰＣ５インターフェスは、ＭＡＣ階層、ＰＨＹ階層と上位階層であるＰｒｏＳｅ  Ｐｒｏｔｏｃｏｌ階層から構成される。上位階層（ＰｒｏＳｅ  Ｐｒｏｔｏｃｏｌ）で発見情報（ｄｉｓｃｏｖｅｒｙ  ｉｎｆｏｒｍａｔｉｏｎ）のお知らせ（ａｎｏｕｎｃｅｍｅｎｔ：以下、アナウンスメント）及びモニタリング（ｍｏｎｉｔｏｒｉｎｇ）に対する許可を取り扱い、発見情報の内容は、ＡＳ（ａｃｃｅｓｓ  ｓｔｒａｔｕｍ）に対して透明（ｔｒａｎｓｐａｒｅｎｔ）である。ＰｒｏＳｅ  Ｐｒｏｔｏｃｏｌは、アナウンスメントのために有効な発見情報のみをＡＳに伝達されるようにする。
【００８２】
ＭＡＣ階層は、上位階層（ＰｒｏＳｅ  Ｐｒｏｔｏｃｏｌ）から発見情報を受信する。ＩＰ階層は、発見情報転送のために使用されない。ＭＡＣ階層は、上位階層から受けた発見情報をアナウンスするために使用される資源を決定する。ＭＡＣ階層は、発見情報を運ぶＭＡＣ  ＰＤＵ（ｐｒｏｔｏｃｏｌ  ｄａｔａ  ｕｎｉｔ）を作って物理階層に送る。ＭＡＣヘッダは、追加されない。
【００８３】
発見情報アナウンスメントのために、２種類タイプの資源割り当てがある。
【００８４】
１．タイプ１
【００８５】
発見情報のアナウンスメントのための資源が端末特定的でないように割り当てられる方法で、基地局が端末に発見情報アナウンスメントのための資源プール設定を提供する。この設定は、システム情報ブロック（ｓｙｓｔｅｍ  ｉｎｆｏｒｍａｔｉｏｎ  ｂｌｏｃｋ：ＳＩＢ）に含まれてブロードキャスト方式でシグナリングされうる。または、前記設定は、端末特定的ＲＲＣメッセージに含まれて提供されることができる。または、前記設定は、ＲＲＣメッセージの他に他の階層のブロードキャストシグナリングまたは端末特定的シグナリングになることもできる。
【００８６】
端末は、指示された資源プールから自ら資源を選択し、選択した資源を利用して発見情報をアナウンスする。端末は、各発見周期（ｄｉｓｃｏｖｅｒｙ  ｐｅｒｉｏｄ）の間に任意に選択した資源を介して発見情報をアナウンスできる。
【００８７】
２．タイプ２
【００８８】
発見情報のアナウンスメントのための資源が端末特定的に割り当てられる方法である。ＲＲＣ＿ＣＯＮＮＥＣＴＥＤ状態にある端末は、ＲＲＣ信号を介して基地局に発見信号アナウンスメントのための資源を要請できる。基地局は、ＲＲＣ信号に発見信号アナウンスメントのための資源を割り当てることができる。端末に設定された資源プール内で発見信号モニタリングのための資源が割り当てられることができる。
【００８９】
ＲＲＣ＿ＩＤＬＥ状態にある端末に対して、基地局は、１）発見情報アナウンスメントのためのタイプ１資源プールをＳＩＢに知らせることができる。ＰｒｏＳｅ直接発見が許容された端末は、ＲＲＣ＿ＩＤＬＥ状態で発見情報アナウンスメントのためにタイプ１資源プールを利用する。または、基地局は、２）ＳＩＢを介して前記基地局がＰｒｏＳｅ直接発見は支援することを知らせるが、発見情報アナウンスメントのための資源は提供しなくても良い。この場合、端末は、発見情報アナウンスメントのためには、ＲＲＣ＿ＣＯＮＮＥＣＴＥＤ状態に入っていかなければならない。
【００９０】
ＲＲＣ＿ＣＯＮＮＥＣＴＥＤ状態にある端末に対して、基地局は、ＲＲＣ信号を介して前記端末が発見情報アナウンスメントのためにタイプ１資源プールを使用するか、それともタイプ２資源を使用するかを設定できる。
【００９１】
図６は、３ＧＰＰ  ＬＴＥの無線フレーム（ｒａｄｉｏ  ｆｒａｍｅ）構造を示す。
【００９２】
図６を参照すると、無線フレーム（ｒａｄｉｏ  ｆｒａｍｅ）は、１０個のサブフレーム（ｓｕｂｆｒａｍｅ）で構成され、一つのサブフレームは、２個のスロット（ｓｌｏｔ）で構成される。一例として、一つのサブフレームの長さは、１ｍｓで、一つのスロットの長さは、０．５ｍｓでありうる。一つのサブフレームが転送されるのにかかる時間をＴＴＩ（ｔｒａｎｓｍｉｓｓｉｏｎ  ｔｉｍｅ  ｉｎｔｅｒｖａｌ）という。ＴＴＩは、スケジューリングの最小単位でありうる。無線フレームの構造は例示に過ぎず、無線フレームに含まれるサブフレームの数及びサブフレームに含まれるスロットの数は多様に変更されることができる。
【００９３】
図７は、ＴＤＤ（Ｔｉｍｅ  Ｄｉｖｉｓｉｏｎ  Ｄｕｐｌｅｘ）無線フレームの構造を示す。
【００９４】
図７を参照すると、インデックス＃１とインデックス＃６を有するサブフレームは、スペシャルサブフレーム（ｓｐｅｃｉａｌ  ｓｕｂｆｒａｍｅ）といい、ＤｗＰＴＳ（Ｄｏｗｎｌｉｎｋ  Ｐｉｌｏｔ  Ｔｉｍｅ  Ｓｌｏｔ：ＤｗＰＴＳ）、ＧＰ（Ｇｕａｒｄ  Ｐｅｒｉｏｄ）及びＵｐＰＴＳ（Ｕｐｌｉｎｋ  Ｐｉｌｏｔ  Ｔｉｍｅ  Ｓｌｏｔ）を含む。ＤｗＰＴＳは、端末での初期セルサーチ、同期化またはチャネル推定に使用される。ＵｐＰＴＳは、基地局でのチャネル推定と端末の上向き転送同期を合せるのに使用される。ＧＰは、アップリンクとダウンリンクとの間にダウンリンク信号の多重経路遅延によりアップリンクで生じる干渉を除去するための区間である。
【００９５】
ＴＤＤでは、一つの無線フレームにＤＬ（ｄｏｗｎｌｉｎｋ）サブフレームとＵＬ（Ｕｐｌｉｎｋ）サブフレームが共存する。表１は、無線フレームのＵＬ−ＤＬ設定（ＵＬ−ＤＬ  ｃｏｎｆｉｇｕｒａｔｉｏｎ）の一例を示す。
【００９６】
【表１】
2020511905.tif 000003
【００９７】
表１において「Ｄ」は、ＤＬサブフレーム、「Ｕは、ＵＬサブフレーム、「Ｓ」は、スペシャルサブフレームを表す。基地局からＵＬ−ＤＬ設定を受信すると、端末は、無線フレームにおいて各サブフレームがＤＬサブフレームまたはＵＬサブフレームであるかどうかが分かる。以下、ＵＬ−ＤＬ設定Ｎ（Ｎは、０ないし６のうち、いずれか一つ）は、前記表１を参照できる。
【００９８】
図８は、一つのダウンリンクスロットに対する資源グリッド（ｒｅｓｏｕｒｃｅ  ｇｒｉｄ）を示した例示図である。
【００９９】
無線フレームにおいて一つのスロットは、時間領域（ｔｉｍｅ  ｄｏｍａｉｎ）において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。ＯＦＤＭシンボルは、３ＧＰＰ  ＬＴＥがダウンリンクにおいてＯＦＤＭＡを使用するので、一つのシンボル区間（ｓｙｍｂｏｌ  ｐｅｒｉｏｄ）を表現するためのもので、多重接続方式によって他の名称で呼ばれることができる。例えば、ＳＣ−ＦＤＭＡが使用される場合、ＳＣ−ＦＤＭＡシンボルと称することができる。一つのスロットは、７ＯＦＤＭシンボルを含むことを例示的に述べるが、ＣＰ（Ｃｙｃｌｉｃ  Ｐｒｅｆｉｘ）の長さによって一つのスロットに含まれるＯＦＤＭシンボルの数は変わることができる。３ＧＰＰ  ＴＳ  ３６．２１１  Ｖ８．５．０（２００８−１２）によれば、ノーマル（ｎｏｒｍａｌ）ＣＰにおいて１サブフレームは、７ＯＦＤＭシンボルを含み、拡張（ｅｘｔｅｎｄｅｄ）ＣＰにおいて１サブフレームは、６ＯＦＤＭシンボルを含む。
【０１００】
また、一つのスロットは、周波数領域において多数の資源ブロック（ｒｅｓｏｕｒｃｅ  ｂｌｏｃｋ、ＲＢ）を含む。資源ブロックは、資源割り当て単位として一つのスロットで複数の連続する副搬送波（ｓｕｂｃａｒｒｉｅｒ）を含む。資源ブロックにおいて副搬送波は、例えば１５ＫＨｚの間隔を有することができる。
【０１０１】
資源グリッド上の各要素を資源要素（ｒｅｓｏｕｒｃｅ  ｅｌｅｍｅｎｔ：ＲＥ）と言い、一つの資源ブロックは、１２×７個の資源要素を含む。ダウンリンクスロットに含まれる資源ブロックの数ＮDLは、セルで設定されるダウンリンク転送帯域幅（ｂａｎｄｗｉｄｔｈ）に従属する。図８にて説明した資源グリッドは、アップリンクにおいても適用されることができる。
【０１０２】
図９は、ダウンリンクサブフレームの構造を示す。
【０１０３】
図９を参照すると、サブフレームは、２個の連続的な（ｃｏｎｓｅｃｕｔｉｖｅ）スロットを含む。サブフレーム内で１番目のスロットの先んじた最大３ＯＦＤＭシンボルが制御チャネル（ｃｏｎｔｒｏｌ  ｃｈａｎｎｅｌ）が割り当てられる制御領域（ｃｏｎｔｒｏｌ  ｒｅｇｉｏｎ）であり、残りのＯＦＤＭシンボルは、データチャネル（ｄａｔａ  ｃｈａｎｎｅｌ）が割り当てられるデータ領域（ｄａｔａ  ｒｅｇｉｏｎ）である。制御領域は、システム帯域によって最大４ＯＦＤＭシンボルで構成されることができる。
【０１０４】
制御領域に割り当てられる制御チャネルには、ＰＣＦＩＣＨ（ｐｈｙｓｉｃａｌ  ｃｏｎｔｒｏｌ  ｆｏｒｍａｔ  ｉｎｄｉｃａｔｉｏｎ  ｃｈａｎｎｅｌ）、ＰＨＩＣＨ（ｐｈｙｓｉｃａｌ  ｈｙｂｒｉｄ−ＡＲＱ  ｉｎｄｉｃａｔｏｒ  ｃｈａｎｎｅｌ）、ＰＤＣＣＨ（ｐｈｙｓｉｃａｌ  ｄｏｗｎｌｉｎｋ  ｃｏｎｔｒｏｌ  ｃｈａｎｎｅｌ）がある。ＰＣＦＩＣＨは、制御領域の大きさ、すなわち、制御領域を構成するＯＦＤＭシンボルの個数を表す情報が転送される制御チャネルである。ＰＨＩＣＨは、端末のアップリンクデータ転送に対するＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）を運ぶ制御チャネルである。ＰＤＣＣＨは、ＤＬ−ＳＣＨ（Ｄｏｗｎｌｉｎｋ−Ｓｈａｒｅｄ  Ｃｈａｎｎｅｌ）の資源割り当て（これをＤＬグラント（ｄｏｗｎｌｉｎｋ  ｇｒａｎｔ）ともいう）及び転送フォーマット、ＵＬ−ＳＣＨ（Ｕｐｌｉｎｋ  Ｓｈａｒｅｄ  Ｃｈａｎｎｅｌ）の資源割り当て情報（これをＵＬグラント（ｕｐｌｉｎｋ  ｇｒａｎｔ）ともいう）、ＰＣＨ（ｐａｇｉｎｇ  ｃｈａｎｎｅｌ）上のページング情報、ＤＬ−ＳＣＨ上のシステム情報、ＰＤＳＣＨ上に転送されるランダムアクセス応答のような上位階層制御メッセージの資源割り当て、任意のＵＥグループ内の個別ＵＥに対する転送パワー制御（ｔｒａｎｓｍｉｓｓｉｏｎ  ｐｏｗｅｒ  ｃｏｎｔｒｏｌ、ＴＰＣ）命令の集合及びＶｏＩＰ（Ｖｏｉｃｅ  ｏｖｅｒ  Ｉｎｔｅｒｎｅｔ  Ｐｒｏｔｏｃｏｌ）の活性化などを運ぶことができる。ＰＤＣＣＨを介して転送される制御情報をダウンリンク制御情報（ｄｏｗｎｌｉｎｋ  ｃｏｎｔｒｏｌ  ｉｎｆｏｒｍａｔｉｏｎ、ＤＣＩ）という。
【０１０５】
ＤＣＩフォーマットには、ＰＵＳＣＨ（Ｐｈｙｓｉｃａｌ  Ｕｐｌｉｎｋ  Ｓｈａｒｅｄ  Ｃｈａｎｎｅｌ）スケジューリングのためのフォーマット０、一つのＰＤＳＣＨ（Ｐｈｙｓｉｃａｌ  Ｄｏｗｎｌｉｎｋ  Ｓｈａｒｅｄ  Ｃｈａｎｎｅｌ）コードワードのスケジューリングのためのフォーマット１、一つのＰＤＳＣＨコードワードの簡単な（ｃｏｍｐａｃｔ）スケジューリングのためのフォーマット１Ａ、空間多重化モードにおいて単一コードワードのランク−１転送に対する簡単なスケジューリングのためのフォーマット１Ｂ、ＤＬ−ＳＣＨ（Ｄｏｗｎｌｉｎｋ  Ｓｈａｒｅｄ  Ｃｈａｎｎｅｌ）の極めて簡単なスケジューリングのためのフォーマット１Ｃ、多重ユーザ空間多重化モードでＰＤＳＣＨスケジューリングのためのフォーマット１Ｄ、閉ループ（Ｃｌｏｓｅｄ−ｌｏｏｐ）空間多重化モードでＰＤＳＣＨスケジューリングのためのフォーマット２、開ループ（Ｏｐｅｎ−ｌｏｏｐ）空間多重化モードでＰＤＳＣＨスケジューリングのためのフォーマット２Ａ、ＰＵＣＣＨ及びＰＵＳＣＨのための２ビット電力調節のＴＰＣ（Ｔｒａｎｓｍｉｓｓｉｏｎ  Ｐｏｗｅｒ  Ｃｏｎｔｒｏｌ）命令の転送のためのフォーマット３、及びＰＵＣＣＨ及びＰＵＳＣＨのための１ビット電力調節のＴＰＣ命令の転送のためのフォーマット３Ａなどがある。
【０１０６】
＜Ｖ２Ｘ（ＶＥＨＩＣＬＥ−ＴＯ−Ｘ）通信＞
【０１０７】
前述したように、 一般にＤ２Ｄ動作は、近接した機器間の信号送受信であるという点で多様な長所を有することができる。例えば、Ｄ２Ｄ端末は、高い転送率及び低い遅延を有しデータ通信を行うことができる。また、Ｄ２Ｄ動作は、基地局に集中するトラフィックを分散させることができ、Ｄ２Ｄ動作を行う端末が中継器として機能する場合、基地局のカバレッジを拡張させる機能も行うことができる。上述のＤ２Ｄ通信の拡張で車両間の信号送受信を含んで、車両（ＶＥＨＩＣＬＥ）と関連した通信を特にＶ２Ｘ（ＶＥＨＩＣＬＥ−ＴＯ−Ｘ）通信と呼ぶ。
【０１０８】
ここで、一例として、Ｖ２Ｘ（ＶＥＨＩＣＬＥ−ＴＯ−Ｘ）で‘Ｘ’用語は、  ＰＥＤＥＳＴＲＩＡＮ  （ＣＯＭＭＵＮＩＣＡＴＩＯＮ  ＢＥＴＷＥＥＮ  Ａ  ＶＥＨＩＣＬＥ  ＡＮＤ  Ａ  ＤＥＶＩＣＥ  ＣＡＲＲＩＥＤ  ＢＹ  ＡＮ  ＩＮＤＩＶＩＤＵＡＬ  （例）  ＨＡＮＤＨＥＬＤ  ＴＥＲＭＩＮＡＬ  ＣＡＲＲＩＥＤ  ＢＹ  Ａ  ＰＥＤＥＳＴＲＩＡＮ，  ＣＹＣＬＩＳＴ，  ＤＲＩＶＥＲ  ＯＲ  ＰＡＳＳＥＮＧＥＲ））  （Ｖ２Ｐ），  ＶＥＨＩＣＬＥ  （ＣＯＭＭＵＮＩＣＡＴＩＯＮ  ＢＥＴＷＥＥＮ  ＶＥＨＩＣＬＥＳ）  （Ｖ２Ｖ），  ＩＮＦＲＡＳＴＲＵＣＴＵＲＥ／ＮＥＴＷＯＲＫ  （ＣＯＭＭＵＮＩＣＡＴＩＯＮ  ＢＥＴＷＥＥＮ  Ａ  ＶＥＨＩＣＬＥ  ＡＮＤ  Ａ  ＲＯＡＤＳＩＤＥ  ＵＮＩＴ  （ＲＳＵ）／ＮＥＴＷＯＲＫ  （ 例 ）  ＲＳＵ  ＩＳ  Ａ  ＴＲＡＮＳＰＯＲＴＡＴＩＯＮ  ＩＮＦＲＡＳＴＲＵＣＴＵＲＥ  ＥＮＴＩＴＹ  （ 例 ）  ＡＮ  ＥＮＴＩＴＹ  ＴＲＡＮＳＭＩＴＴＩＮＧ  ＳＰＥＥＤ  ＮＯＴＩＦＩＣＡＴＩＯＮＳ）  ＩＭＰＬＥＭＥＮＴＥＤ  ＩＮ  ＡＮ  ｅＮＢ  ＯＲ  Ａ  ＳＴＡＴＩＯＮＡＲＹ  ＵＥ））  （Ｖ２Ｉ／Ｎ）などを意味する。また、一例として、提案方式に対する説明の便宜のために、歩行者（あるいは人）が所持した（Ｖ２Ｐ通信関連）デバイスを「Ｐ−ＵＥ」と名付け、ＶＥＨＩＣＬＥに設置された（Ｖ２Ｘ通信関連）デバイスを「Ｖ−ＵＥ」と名付ける。また、一例として、本発明において「エンティティ（ＥＮＴＩＴＹ）」用語は、Ｐ−ＵＥそして／あるいはＶ−ＵＥ、そして／あるいはＲＳＵ（／ＮＥＴＷＯＲＫ／ＩＮＦＲＡＳＴＲＵＣＴＵＲＥ）と解析されることができる。
【０１０９】
Ｖ２Ｘ端末は、事前に定義された（あるいはシグナリングされた）リソースプール（ＲＥＳＯＵＲＣＥ  ＰＯＯＬ）上においてメッセージ（あるいはチャネル）転送を行うことができる。ここで、リソースプールは、端末がＶ２Ｘ動作を行うように（あるいはＶ２Ｘ動作を行うことができる）事前に定義された資源（ら）を意味できる。このとき、リソースプールは、例えば、時間−周波数側面で定義されうる。
【０１１０】
＜Ｓ−ＲＳＳＩ＞
【０１１１】
サイドリンクＲＳＳＩ（Ｓ−ＲＳＳＩ）は、サブフレームの１番目のスロットの１，２，．．．，６ＳＣ−ＦＤＭＡシンボル及び２番目のスロットの０，１，．．．，５ＳＣ−ＦＤＭＡにおいて設定されたサブチャネルにおいてのみ端末により観測されたＳＣ−ＦＤＭＡ当たりの全体受信された電力（［Ｗ］単位）の線形平均（ｌｉｎｅａｒ  ａｖｅｒａｇｅ）と定義されることができる（Ｓｉｄｅｌｉｎｋ  ＲＳＳＩ  （Ｓ−ＲＳＳＩ）  ｍａｙ  ｂｅ  ｄｅｆｉｎｅｄ  ａｓ  ｔｈｅ  ｌｉｎｅａｒ  ａｖｅｒａｇｅ  ｏｆ  ｔｈｅ  ｔｏｔａｌ  ｒｅｃｅｉｖｅｄ  ｐｏｗｅｒ  （ｉｎ  ［Ｗ］）  ｐｅｒ  ＳＣ−ＦＤＭＡ  ｓｙｍｂｏｌ  ｏｂｓｅｒｖｅｄ  ｂｙ  ｔｈｅ  ＵＥ  ｏｎｌｙ  ｉｎ  ｔｈｅ  ｃｏｎｆｉｇｕｒｅｄ  ｓｕｂ−ｃｈａｎｎｅｌ  ｉｎ  ＳＣ−ＦＤＭＡ  ｓｙｍｂｏｌｓ  １，  ２，  ．．．，  ６  ｏｆ  ｔｈｅ  ｆｉｒｓｔ  ｓｌｏｔ  ａｎｄ  ＳＣ−ＦＤＭＡ  ｓｙｍｂｏｌｓ  ０，１，．．．，  ５  ｏｆ  ｔｈｅ  ｓｅｃｏｎｄ  ｓｌｏｔ  ｏｆ  ａ  ｓｕｂｆｒａｍｅ）。
【０１１２】
ここで、Ｓ−ＲＳＳＩのレファレンスポイントは、端末のアンテナコネクタでありうる。
【０１１３】
仮に、レシーバーダイバーシチが端末により使用される場合、報告された値は、任意の個別ダイバーシチブランチの対応するＳ−ＲＳＳＩより低くないことができる。
【０１１４】
Ｓ−ＲＳＳＩは、ＲＲＣ＿ＩＤＬＥイントラ周波数、ＲＲＣ＿ＩＤＬＥインター周波数、ＲＲＣ＿ＣＯＮＮＥＣＴＥＤイントラ周波数、及び／またはＲＲＣ＿ＣＯＮＮＥＣＴＥＤインター周波数で適用されることができる。
【０１１５】
＜ＰＳＳＣＨ−ＲＳＲＰ＞
【０１１６】
ＰＳＳＣＨ−ＲＳＲＰは、関連したＰＳＣＣＨにより指示されたＰＲＢ内で、ＰＳＳＣＨと関連した復調基準信号を運搬する資源要素の電力寄与分（［Ｗ］単位）に対した線形平均と定義されることができる（ＰＳＳＣＨ  Ｒｅｆｅｒｅｎｃｅ  Ｓｉｇｎａｌ  Ｒｅｃｅｉｖｅｄ  Ｐｏｗｅｒ  （ＰＳＳＣＨ−ＲＳＲＰ）  ｍａｙ  ｂｅ  ｄｅｆｉｎｅｄ  ａｓ  ｔｈｅ  ｌｉｎｅａｒ  ａｖｅｒａｇｅ  ｏｖｅｒ  ｔｈｅ  ｐｏｗｅｒ  ｃｏｎｔｒｉｂｕｔｉｏｎｓ  （ｉｎ  ［Ｗ］）  ｏｆ  ｔｈｅ  ｒｅｓｏｕｒｃｅ  ｅｌｅｍｅｎｔｓ  ｔｈａｔ  ｃａｒｒｙ  ｄｅｍｏｄｕｌａｔｉｏｎ  ｒｅｆｅｒｅｎｃｅ  ｓｉｇｎａｌｓ  ａｓｓｏｃｉａｔｅｄ  ｗｉｔｈ  ＰＳＳＣＨ，  ｗｉｔｈｉｎ  ｔｈｅ  ＰＲＢｓ  ｉｎｄｉｃａｔｅｄ  ｂｙ  ｔｈｅ  ａｓｓｏｃｉａｔｅｄ  ＰＳＣＣＨ）。
【０１１７】
ここで、ＰＳＳＣＨ−ＲＳＲＰに対するレファレンスポイントは、端末のアンテナコネクタでありうる。
【０１１８】
仮に、レシーバーダイバーシチが端末により使用される場合、報告された値は、任意の個別ダイバーシチブランチの対応するＰＳＳＣＨ−ＲＳＲＰより低くないことができる。
【０１１９】
ＰＳＳＣＨ−ＲＳＲＰは、ＲＲＣ＿ＩＤＬＥイントラ周波数、ＲＲＣ＿ＩＤＬＥインター周波数、ＲＲＣ＿ＣＯＮＮＥＣＴＥＤイントラ周波数、及び／またはＲＲＣ＿ＣＯＮＮＥＣＴＥＤインター周波数で適用されることができる。
【０１２０】
ここで、資源要素当たりの電力は、ＣＰを除いた、シンボルの有用な部分で受信されたエネルギーから決定されることができる。
【０１２１】
＜チャネルビジー割合（ＣＨＡＮＮＥＬ  ＢＵＳＹ  ＲＡＴＩＯ；ＣＢＲ）＞
【０１２２】
サブフレームｎで測定されたＣＢＲは、下記のように定義されることができる。
【０１２３】
−ＣＢＲは、ＰＳＳＣＨに対して、サブフレーム［ｎ−１００，ｎ−１］の間に端末により測定されたＳ−ＲＳＳＩが予め設定されたしきい値を超えると感知されたリソースプールでのサブチャネルのポーション（Ｐｏｒｔｉｏｎ）を意味できる。
【０１２４】
−ＣＢＲは、ＰＳＳＣＨに対して、ＰＳＣＣＨ（Ｐｈｙｓｉｃａｌ  Ｓｉｄｅｌｉｎｋ  Ｃｏｎｔｒｏｌ  Ｃｈａｎｎｅｌ）がＰＳＣＣＨに対応するＰＳＳＣＨと共に隣接しない資源ブロックから転送されうるように設定されたプールで、サブフレーム［ｎ−１００，ｎ−１］の間に端末により測定されたＳ−ＲＳＳＩが予め設定されたしきい値を超えると感知されたリソースプールでのサブチャネルのポーション（ｐｏｒｔｉｏｎ）を意味できる。ここで、ＰＳＣＣＨプールが周波数ドメインで２個の連続的なＰＲＢ（Ｐｈｙｓｉｃａｌ  Ｒｅｓｏｕｒｃｅ  Ｂｌｏｃｋ）対の大きさを有する資源で構成されると仮定することができる。
【０１２５】
ＣＢＲは、ＲＲＣ＿ＩＤＬＥイントラ周波数、ＲＲＣ＿ＩＤＬＥインター周波数、ＲＲＣ＿ＣＯＮＮＥＣＴＥＤイントラ周波数、及び／またはＲＲＣ＿ＣＯＮＮＥＣＴＥＤインター周波数で適用されることができる。
【０１２６】
ここで、サブフレームインデックスは、物理的サブフレームインデックス（Ｐｈｙｓｉｃａｌ  Ｓｕｂｆｒａｍｅ  Ｉｎｄｅｘ）に基づくことができる。
【０１２７】
＜チャネル占有割合（ＣＨＡＮＮＥＬ  ＯＣＣＵＰＡＮＣＹ  ＲＡＴＩＯ；ＣＲ）＞
【０１２８】
サブフレームｎで評価されたＣＲは、下記のように定義できる。
【０１２９】
−サブフレーム［ｎ−ａ，ｎ−１］においてそしてサブフレーム［ｎ，ｎ＋ｂ］において許可された（ｇｒａｎｔｅｄ）、端末の転送に使用されるサブチャネルの個数を、［ｎ−ａ，ｎ＋ｂ］の間に転送プールで設定されたサブチャネルの個数で割り算したことを意味できる。
【０１３０】
ＣＲは、ＲＲＣ＿ＩＤＬＥイントラ周波数、ＲＲＣ＿ＩＤＬＥインター周波数、ＲＲＣ＿ＣＯＮＮＥＣＴＥＤイントラ周波数、及び／またはＲＲＣ＿ＣＯＮＮＥＣＴＥＤインター周波数で適用されることができる。
【０１３１】
ここで、ａは、正の整数でありえ、ｂは、０または正の整数を意味できる。ａ及びｂは、端末により決定されることができ、このとき、‘ａ＋ｂ＋１＝１０００’、‘ａ＞＝５００’、‘ｎ＋ｂは、現在転送に対する許可の最終転送機会を超えない（ｎ＋ｂ  ｓｈｏｕｌｄ  ｎｏｔ  ｅｘｃｅｅｄ  ｔｈｅ  ｌａｓｔ  ｔｒａｎｓｍｉｓｓｉｏｎ  ｏｐｐｏｒｔｕｎｉｔｙ  ｏｆ  ｔｈｅ  ｇｒａｎｔ  ｆｏｒ  ｔｈｅ  ｃｕｒｒｅｎｔ  ｔｒａｎｓｍｉｓｓｉｏｎ）’を充足できる。
【０１３２】
ここで、ＣＲがそれぞれの（再）転送に対して評価されることができる。
【０１３３】
ここで、ＣＲを評価する時、端末は、サブフレームｎで使用される転送パラメータがパケットドロップ無しでサブフレーム［ｎ＋１，ｎ＋ｂ］での既存許可によって再使用できると仮定することができる。
【０１３４】
ここで、サブフレームインデックスは、物理的サブフレームインデックスに基づくことができる。
【０１３５】
ここで、ＣＲは、優先順位レベルごとに計算されることができる。
【０１３６】
＜サイドリンクチャネルスクランブリング＞
【０１３７】
ＰＳＳＣＨスクランブリングシーケンスジェネレータは、毎ＰＳＳＣＨサブフレームの開始位置で下記式で初期化できる。ここで、ｎssfPSSCHは、ＰＳＳＣＨに対して、サブフレームプールで（現在）サイドリンクサブフレーム番号を表す。
【数１】
2020511905.tif 000004
【０１３８】
このとき、サイドリンク転送モード３及び４に関して、下記の計算式により導き出され、これは、ＰＳＳＣＨと同じサブフレームから転送されるＰＳＣＣＨ上のＣＲＣを十進数で表現したことである。
【数２】
2020511905.tif 000005
【０１３９】
ここで、上記式上のｐは、ＣＲＣ生成でのパリティビットを意味し、Ｌは、該当パリティビットの個数を意味する。パリティビットは、以下のようなサイクリックジェネレータ多項式のうち、一つにより生成されることができる。
【０１４０】
- gCRC24A(D) = [D24 + D23 + D18 + D17 + D14 + D11 + D10 + D7 + D6 + D5 + D4 + D3 + D + 1];
【０１４１】
- gCRC24B(D) = [D24 + D23 + D6 + D5 + D + 1] for a CRC length L = 24;
【０１４２】
- gCRC16(D) = [D16 + D12 + D5 + 1] for a CRC length L = 16.
【０１４３】
- gCRC8(D) = [D8 + D7 + D4 + D3 + D + 1] for a CRC length of L = 8.
【０１４４】
＜サイドリンクでのデモジュレーションレファレンスシグナル（Ｄｅｍｏｄｕｌａｔｉｏｎ  ｒｅｆｅｒｅｎｃｅ  ｓｉｇｎａｌ；ＤＭＲＳ）＞
【０１４５】
ＰＳＳＣＨ、ＰＳＣＣＨ、ＰＳＢＣＨに関連したＤＭ−ＲＳのシーケンスは、次のように生成されることができる。
【０１４６】
【数３】
2020511905.tif 000006
【０１４７】
ここで、ｍは、特殊サブフレーム（ｓｐｅｃｉａｌ  ｓｕｂｆｒａｍｅ）に対し０、その以外には、０または１である。ｎ＝０，．．．，ＭscRS−１である。ＭscRSは、参照信号の長さを副搬送波個数で表したものである。δは、０または１である。ｕは、スロットｎｓでのシーケンスグループ番号で、ｖは、基本シーケンス番号である。ｕは、ｎIDRS及びｆssに基づいて決定されることができる。
【０１４８】
前記αλは、スロットｎsでの循環シフト（ｃｙｃｌｉｃ  ｓｈｉｆｔ）値であり、次の式のように与えられることができる。
【０１４９】
【数４】
2020511905.tif 000007
【０１５０】
前記式１、式２におけるパラメータは、ＰＳＳＣＨに対した参照信号（ＤＭ−ＲＳ）の場合、次の表のように決定されることができる。
【０１５１】
【表２】
2020511905.tif 000008
【０１５２】
ｎIDRSは、シーケンスグループホッピングに関連したＩＤである。ｎsは、スロット番号、ｆssは、シーケンスシフトパターンを表す。
【０１５３】
ｎcs,λは、循環シフト値である。サイドリンク転送モード３、４においてＰＳＳＣＨ及びＰＳＣＣＨに対して、ＤＭ−ＲＳがマッピングされるシンボルは、１番目のスロットにおいてｌ＝２，５（すなわち、３番目のシンボル及び６番目のシンボル）、第２番目のスロットにおいてｌ＝１，４（すなわち、第２番目のシンボル及び５番目のシンボル）でありうる。
【０１５４】
サイドリンク転送モード３、４においてＰＳＢＣＨに対して、ＤＭ−ＲＳがマッピングされるシンボルは、１番目のスロットにおいてｌ＝４，６（すなわち、５番目のシンボル及び７番目のシンボル）、２番目のスロットにおいてｌ＝２（すなわち、３番目のシンボル）でありうる。
【０１５５】
サイドリンク転送モード３、４において、擬似ランダムシーケンス生成器（ｐｓｅｕｄｏ−ｒａｎｄｏｍ  ｓｅｑｕｅｎｃｅ  ｇｅｎｅｒａｔｏｒ）は、ｎssPSSCHｍｏｄ２＝０を満たす各スロットの開始で初期化できる。ｎssPSSCHは、ＰＳＳＣＨに対して、サブフレームプールで（現在）サイドリンクスロット番号を表す。
【０１５６】
サイドリンク転送モード３、４においてＰＳＣＣＨに対して、サブフレーム内のすべてのＤＭ−ＲＳに適用される循環シフトｎcs,λは、｛０，３，６，９｝の中からランダムに選択されることができる。
【０１５７】
サイドリンク転送モード３、４においてＰＳＳＣＨに対してｍ＝０，１，２，３でありえ、ＰＳＢＣＨに対してｍ＝０，１，２でありうる。
【０１５８】
サイドリンク転送モード３、４において、ｎIDXは、ＰＳＳＣＨと同じサブフレームから転送されたＰＳＣＣＨ上のＣＲＣの十進法表現と同一で、次の式のように与えられることができる。
【０１５９】
【数５】
2020511905.tif 000009
【０１６０】
前記式中、ｐは、パリティビット（ｐａｒｉｔｙ  ｂｉｔ）で、Ｌは、パリティビット個数である。
【０１６１】
ＭscPSSCHは、ＰＳＳＣＨ転送のためにスケジューリングされた帯域を副搬送波個数で表したものである。
【０１６２】
前記式１、式２におけるパラメータは、ＰＳＣＣＨに対した参照信号の場合、次の表のように決定されることができる。
【０１６３】
【表３】
2020511905.tif 000010
【０１６４】
前記式１、式２におけるパラメータは、ＰＳＢＣＨに対した参照信号の場合、次の表のように決定されることができる。ＮIDSLは、サイドリンク同期識別子（ｓｉｄｅｌｉｎｋ  ｓｙｎｃｈｒｏｎｉｚａｔｉｏｎ  ｉｄｅｎｔｉｔｙ）である。
【０１６５】
【表４】
2020511905.tif 000011
【０１６６】
以下、本発明について説明する。
【０１６７】
一例として、以下の提案方式は、（既存（例えば、「１ＭＳ」）に比べて）相対的に短いＴＲＡＮＳＭＩＳＳＩＯＮ  ＴＩＭＥ  ＩＮＴＥＲＶＡＬ（Ｓ−ＴＴＩ）基盤のＶ２Ｘ通信が行われる場合、効率的なＣＢＲそして／あるいはＣＲ測定方法を提示する。
【０１６８】
ここで、一例として、Ｖ２Ｘ通信モードは、（代表的に）（Ａ）（（基地局（／ネットワーク）から）事前に設定（／シグナリング）されたＶ２Ｘ資源プール上において）Ｖ２Ｘメッセージ送（／受信）関連スケジューリング情報を基地局がシグナリング（／制御）するモード（ＭＯＤＥ＃３）（例えば、基地局通信カバレッジ内に位置した（そして／あるいはＲＲＣ＿ＣＯＮＮＥＣＴＥＤ状態の）端末が主な対象である）そして／あるいは（Ｂ）（（基地局（／ネットワーク）から）事前に設定（／シグナリング）されたＶ２Ｘ資源プール上において）Ｖ２Ｘメッセージ送（／受信）関連スケジューリング情報を端末が（独自に）決定（／制御）するモード（ＭＯＤＥ＃４）（例えば、基地局通信カバレッジ内／外に位置した（そして／あるいはＲＲＣ＿ＣＯＮＮＥＣＴＥＤ／ＩＤＬＥ状態の）端末が主な対象である）に区分されることができる。
【０１６９】
ここで、一例として、本発明において「センシング動作」ワーディングは、（デコード成功したＰＳＣＣＨがスケジューリングする）ＰＳＳＣＨ  ＤＭ−ＲＳ  ＳＥＱＵＥＮＣＥ基盤のＰＳＳＣＨ−ＲＳＲＰ測定動作そして／あるいは（Ｖ２Ｘ資源プール関連サブチャネル基盤の）Ｓ−ＲＳＳＩ測定動作などと解析されることもできる。
【０１７０】
ここで、一例として、本発明において「受信」ワーディングは、（Ａ）Ｖ２Ｘチャネル（／シグナル）（例えば、ＰＳＣＣＨ、ＰＳＳＣＨ、ＰＳＢＣＨ、ＰＳＳＳ／ＳＳＳＳ等）デコード（／受信）動作（そして／あるいはＷＡＮＤＬチャネル（／シグナル）（例えば、ＰＤＣＣＨ、ＰＤＳＣＨ、ＰＳＳ／ＳＳＳ等）デコード（／受信）動作）そして／あるいは（Ｂ）センシング動作そして／あるいは（Ｃ）ＣＢＲ測定動作のうち、（最小限）一つとして（拡張）解析されうる。ここで、一例として、本発明で「転送」ワーディングは、Ｖ２Ｘチャネル（／シグナル）（例えば、ＰＳＣＣＨ、ＰＳＳＣＨ、ＰＳＢＣＨ、ＰＳＳＳ／ＳＳＳＳ等）転送動作（そして／あるいはＷＡＮ  ＵＬチャネル（／シグナル）（例えば、ＰＵＳＣＨ、ＰＵＣＣＨ、ＳＲＳ等）転送動作）として（拡張）解析されうる。
【０１７１】
ここで、一例として、本発明において「ＣＡＲＲＩＥＲ」ワーディングは、（Ａ）事前に設定（／シグナリング）されたＣＡＲＲＩＥＲ  ＳＥＴ（／ＧＲＯＵＰ）そして／あるいは（Ｂ）Ｖ２Ｘ資源プール等として（拡張）解析されうる。ここで、一例として、本発明において「ＲＳ」ワーディングは、ＤＭ−ＲＳとして（最小限）解析されうる。ここで、一例として、本発明において「スクランブリング」ワーディングは、ＰＳＳＣＨ（／ＰＳＣＣＨ）スクランブリングとして（最小限）解析されうる。
【０１７２】
上述のように、以下で説明される明細書の用語の定義と用語の略語は、別の記載がない限り、３ｇＰＰ  ＴＳ  ３６シリーズで定義されることができる。これとは別に、明細書本文で頻繁に使用される用語を定義すると、以下のとおりである。
【０１７３】
−Ｓ−ＰＳＣＣＨ＿Ｌ：Ｓ−ＴＴＩ基盤のＰＳＣＣＨを構成するシンボル個数を意味できる。
【０１７４】
−Ｓ−ＰＳＳＣＨ＿Ｌ：Ｓ−ＴＴＩ基盤のＰＳＳＣＨを構成するシンボル個数を意味できる。
【０１７５】
−Ｓ−ＰＳＣＣＨ、Ｓ−ＰＳＳＣＨ：Ｓ−ＴＴＩ基盤のＰＳＣＣＨ、ＰＳＳＣＨ意味できる。
【０１７６】
−Ｌ−ＰＳＣＣＨ、Ｌ−ＰＳＳＣＨ：従来の１ＭＳ  ＴＴＩ（あるいはＳ−ＴＴＩより相対的に長いＴＴＩ）（Ｌ−ＴＴＩ）基盤の（ＬＥＧＡＣＹ）ＰＳＣＣＨ、ＰＳＳＣＨ意味できる。
【０１７７】
−Ｌ−Ｎ＿ＳＳ：Ｌ−ＴＴＩ（あるいはＳ−ＴＴＩより相対的に長いＴＴＩ）基盤の転送時、（ＬＥＧＡＣＹ）ＳＬＯＴ（Ｌ−ＳＬＯＴ）上のＤＭ−ＲＳシーケンス生成／シーケンス（グループ）ホッピングに使用されるＬ−ＳＬＯＴインデックス（例、ｎssPSSCH）
【０１７８】
−Ｌ−Ｎ＿ＳＳＦ：Ｌ−ＴＴＩ（あるいはＳ−ＴＴＩより相対的に長いＴＴＩ）基盤の転送時、Ｌ−ＴＴＩ上のスクランブリングに使用されるＬ−ＴＴＩインデックス（例、ｎssfPSSCH）
【０１７９】
−Ｓ−Ｎ＿ＳＳ：Ｓ−ＴＴＩ基盤の転送時、Ｓ−ＴＴＩ上のＤＭ−ＲＳシーケンス生成／ホッピングに使用されるインデックス
【０１８０】
−Ｓ−Ｎ＿ＳＳＦ：Ｓ−ＴＴＩ基盤の転送時、Ｓ−ＴＴＩ上のスクランブリングに使用されるインデックス−Ｓ−ＣＢＲ：Ｓ−ＴＴＩ基盤の転送時、ＣＢＲ測定値でありうる。
【０１８１】
以下、（相対的に）短いＴＴＩと（相対的に）長いＴＴＩに対した例示を説明する。
【０１８２】
今後の無線通信システムでは、多様な転送カバレッジ／信頼度／遅延要求事項などのトラフィック（あるいはデータ）を考慮して、可変的なＴＴＩ（チャネル／シグナル）が導入されることができる。一例として、事前に基本資源ユニット（ＢＡＳＩＣ  ＲＥＳＯＵＲＣＥ  ＵＮＩＴ）が定義（／設定）された後、（特定要求事項のデータ関連チャネル／シグナル転送）ＴＴＩが単数あるいは複数の基本資源ユニットの結合体として定義されることができる。このとき、各々のＴＴＩに対した例を図面にて説明すると、以下のとおりである。
【０１８３】
図１０は、Ｓ−ＴＴＩとＬ−ＴＴＩの一例を概略的に示した図である。
【０１８４】
図１０によると、Ｓ−ＴＴＩが事前に設定（／シグナリング）された基本資源ユニットとして定義された場合、Ｌ−ＴＴＩは、（事前に設定（／シグナリング）された）Ｋ個のＳ−ＴＴＩ（基本資源ユニット）が結合された形態として解析されることができる。
【０１８５】
図１１は、Ｓ−ＴＴＩとＬ−ＴＴＩの他の例を概略的に示す図である。
【０１８６】
図１１によると、Ｌ−ＴＴＩが事前に設定（／シグナリング）された基本資源ユニットとして定義された場合、Ｓ−ＴＴＩは、Ｌ−ＴＴＩ（基本資源ユニット）が（事前に設定（／シグナリング）された）Ｋ個に分割された形態（例、一種のＭＩＮＩ−ＢＡＳＩＣ  ＲＥＳＯＵＲＣＥ  ＵＮＩＴ）として解析されることができる。
【０１８７】
前記の図面の例とは異なり、 Ｓ−ＴＴＩもまた複数の（事前に設定（／シグナリング）された）基本資源ユニットが結合された形態を有することもできる。
【０１８８】
図１２は、Ｓ−ＴＴＩとＬ−ＴＴＩのさらに他の例を概略的に示す図である。
【０１８９】
図１２によると、例えば、Ｓ−ＴＴＩ構成＃Ａのように、第１番目のＳ−ＴＴＩは、３個のＯＦＤＭシンボル（ＯＦＤＭ  ｓｙｍｂｏｌ；ＯＳ）の長さを有し、第２番目のＳ−ＴＴＩは、２個のＯＦＤＭシンボルの長さを、第３番目のＳ−ＴＴＩは、２個のＯＦＤＭシンボルの長さを、第４番目のＳ−ＴＴＩは、２個のＯＦＤＭシンボルの長さを、第５番目のＳ−ＴＴＩは、２個のＯＦＤＭシンボルの長さを、第６番目のＳ−ＴＴＩは、３個のＯＦＤＭシンボルの長さを有することができる。
【０１９０】
あるいは、例えば、Ｓ−ＴＴＩ構成＃Ｂのように、第１番目のＳ−ＴＴＩは、７個のＯＦＤＭシンボルの長さを、第２番目のＳ−ＴＴＩは、７個のＯＦＤＭシンボルの長さを有することもできる。
【０１９１】
いままで、Ｓ−ＴＴＩとＬ−ＴＴＩの関係に対する多様な例を示した。しかしながら、上で説明した多様なＳ−ＴＴＩとＬ−ＴＴＩの例示は、説明の便宜のための一例示に過ぎず、Ｓ−ＴＴＩとＬ−ＴＴＩの形態は、上に開示された形態に限定されるものではない。
【０１９２】
上述のように、今後の通信システムにおいて、従来に比べて（相対的に）短いＴＴＩ基盤のＶ２Ｘ通信（／チャネル／シグナル）が導入される場合、端末がどんな方式で（短いＴＴＩ基盤のチャネル／シグナル関連）ＤＭＲＳシーケンスを生成及び／またはホッピングするのか、そしてチャネルスクランブリングを行うのかに対する定義が必要となる。一例として、該当規則がどのように定義されるかによって、短いＴＴＩ基盤のチャネル／シグナルが受ける（あるいはあたえる）干渉ランダム化程度が変わるか、または同一Ｖ２Ｘ資源プール上に共存する相異なるＴＴＩ長（あるいは相対的に長いＴＴＩ）基盤のチャネル／シグナルが受ける干渉（ランダム化／パターン）が変わりうる。
【０１９３】
以下、前記イッシュー（ＩＳＳＵＥ）を考慮して、ＤＭＲＳシーケンス生成及び／またはホッピングに関して、Ｓ−ＴＴＩ基盤の端末は、ＤＭＲＳシーケンス生成及び／またはホッピングに使用されるパラメータをＳ−ＴＴＩを基準とするか、あるいはＬ−ＴＴＩを基準とするかに対して、以下で図面を介して説明する。なお、チャネルスクランブリングに関して、Ｓ−ＴＴＩ基盤の端末は、チャネルスクランブリングに使用されるパラメータをＳ−ＴＴＩを基準とするか、あるいはＬ−ＴＴＩを基準とするかに対しても図面を介して説明する。
【０１９４】
図１３は、本発明の一実施形態による、Ｓ−ＴＴＩに基づいたＶ２Ｘ通信遂行方法のフローチャートである。
【０１９５】
図１３によれば、Ｖ２Ｘ端末は、ＤＭＲＳシーケンス生成及び／またはホッピングに使用されるパラメータ及び／またはチャネルスクランブリングに使用されるパラメータを決定する（Ｓ１３１０）。ここで、前記ＤＭＲＳシーケンス生成及び／またはホッピングに使用されるパラメータは、説明の便宜のために「ＤＭＲＳシーケンスの生成及び／またはホッピングに使用される情報」で表現されることができ、前記チャネルスクランブリングに使用されるパラメータは、説明の便宜のために「チャネルスクランブリングに使用される情報」で表現されることができる。定理すると、以下では、説明の便宜のために、「パラメータ」という用語と「情報」という用語が混用されることができる。
【０１９６】
ここで、前記Ｖ２Ｘ端末は、相対的に短いＴＴＩに基づいたＶ２Ｘ通信を支援する端末を意味でき、前記のＶ２Ｘ端末は、相対的に短いＴＴＩに基づいたＶ２Ｘ通信だけでなく、従来のＴＴＩ（あるいは相対的に長い）ＴＴＩに基づいたＶ２Ｘ通信もまた支援する端末でありうる。
【０１９７】
ここで、前記ＤＭＲＳシーケンス生成及び／またはホッピングに使用されるパラメータ及び／またはチャネルスクランブリングに使用されるパラメータがそれぞれ、端末に予め設定されることができる。あるいは、ＤＭＲＳシーケンス生成及び／またはホッピングに使用されるパラメータ及び／またはチャネルスクランブリングに使用されるパラメータは、ネットワーク（例えば、基地局）からの別のシグナリングを介して設定されることができる。
【０１９８】
ここで、１  Ｌ−ＴＴＩがＫ個のＳ−ＴＴＩで構成されると仮定（すなわち、１  ＲＡＤＩＯ  ＦＲＡＭＥ内に総Ｋ＊１０個のＳ−ＴＴＩが存在すると仮定）されることができる。
【０１９９】
以下、１．ＤＭＲＳシーケンス生成（及び／またはホッピング）に使用される情報に対する例示、そして２．チャネルスクランブリングに使用される情報に対する例示を各々説明する。
【０２００】
１．ＤＭＲＳシーケンス生成及び／またはホッピングに使用される情報
【０２０１】
１  ＲＡＤＩＯ  ＦＲＡＭＥ内、Ｌ−ＴＴＩ＃Ｎ（０≦Ｎ≦９）上の、Ｑ番目の（Ｑ≦Ｋ）Ｓ−ＴＴＩのＳ−Ｎ＿ＳＳ値は、以下の規則により決定されることができる。（一例として、Ｓ−Ｎ＿ＳＳ値は、Ｓ−ＴＴＩ上の、ＲＳシーケンスグループホッピング関数関連入力パラメータとして使用）
【０２０２】
その例として、以下に説明する、１）（規則＃Ａ）のように、Ｓ−ＴＴＩ別に相異なるＳ−Ｎ＿ＳＳが割り当てる方法と、２）（規則＃Ｂ）のように、１  Ｌ−ＳＬＯＴ（Ｌ−Ｎ＿ＳＳ＃Ｊ）内の、複数のＳ−ＴＴＩは共通的に、Ｌ−Ｎ＿ＳＳ＃ＪをＳ−Ｎ＿ＳＳとして有する方式が存在できる。以下、各々の例をさらに具体的に説明する。
【０２０３】
１）（規則＃Ａ）Ｓ−ＴＴＩ別に相異なるＳ−Ｎ＿ＳＳが割り当てられ、１  ＲＡＤＩＯ  ＦＲＡＭＥ内において順次に増加される方式
【０２０４】
すなわち、端末がＳ−ＴＴＩに基づいてＶ２Ｘ通信を行う時、Ｓ−ＴＴＩ単位で定義されたＤＭＲＳシーケンスグループホッピング（及び／または生成）に対した情報を利用して、ＤＭＲＳシーケンスグループホッピング（及び／または生成）を行うことができる。
【０２０５】
このときのＤＭＲＳシーケンスグループホッピング（及び／または生成）に対した情報（すなわち、Ｓ−Ｎ＿ＳＳ）を数式的に表現すると、以下のとおりでありうる。
【０２０６】
〔数式的表現〕：Ｓ−Ｎ＿ＳＳ＝（Ｎ＊Ｋ＋Ｑ-１）
【０２０７】
すなわち、１  ＲＡＤＩＯ  ＦＲＡＭＥ内、Ｓ−ＴＴＩのＳ−Ｎ＿ＳＳ値の範囲は、［０，（９＊Ｋ＋Ｋ−１）］になることができる。
【０２０８】
なお、擬似乱数（ＰＳＥＵＤＯ−ＲＡＮＤＯＭ）シーケンスジェネレータを初期化する時、以下のような規則に従うことができる。
【０２０９】
（１）Ｓ−ＴＴＩ（あるいは事前に設定（／シグナリング）された個数のＳ−ＴＴＩ束）ごとに初期化
【０２１０】
（２）Ｌ−ＴＴＩごとに初期化（例えば、従来のＲＥＬ−１４動作と同一）
【０２１１】
理解の便宜のために、（規則＃Ａ）での例を図面を介して説明すると、以下のとおりである。
【０２１２】
［規則＃Ａの図の例示］：１  Ｌ−ＴＴＩが６個のＳ−ＴＴＩから構成された場合（Ｋ＝６）
【０２１３】
図１４は、（規則＃Ａ）による、Ｓ−Ｎ＿ＳＳ値を付与する方法の一例を概略的に示す図である。
【０２１４】
図１４によると、一つのラジオフレームは、総１０個のレガシーサブフレーム（Ｌ−ＴＴＩ）を有することができる。このときのレガシーサブフレームは、Ｌ−Ｎ＿ＳＳＦ＃０からＬ−Ｎ＿ＳＳＦ＃９までの値を有することができる。
【０２１５】
一つのレガシーサブフレームには、二つのレガシースロット（Ｌ−ＳＬＯＴ）が存在でき、このとき、一つのラジオフレーム内では、レガシースロットは、順次に増加される値を有することができる。例えば、一つのラジオフレームには、Ｌ−Ｎ＿ＳＳ＃０からＬ−Ｎ＿ＳＳ＃１９までの値を有するレガシースロットが存在できる。
【０２１６】
レガシーサブフレームが１４個のＯＦＤＭシンボルから構成されるとする時、例えば、第１番目のＳ−ＴＴＩは、３個のＯＦＤＭシンボル（ＯＦＤＭ  ｓｙｍｂｏｌ；ＯＳ）の長さを有し、第２番目のＳ−ＴＴＩは、２個のＯＦＤＭシンボルの長さを、第３番目のＳ−ＴＴＩは、２個のＯＦＤＭシンボルの長さを、第４番目のＳ−ＴＴＩは、２個のＯＦＤＭシンボルの長さを、第５番目のＳ−ＴＴＩは、２個のＯＦＤＭシンボルの長さを、第６番目のＳ−ＴＴＩは、３個のＯＦＤＭシンボルの長さを有することができる。
【０２１７】
以上のような状況で、一つのラジオフレームには、総６０個のＳ−Ｎ＿ＳＳが存在でき、このときのＳ−Ｎ＿ＳＳの値は、順次に増加できる。すなわち、一つのラジオフレームには、Ｓ−Ｎ＿ＳＳ＃０からＳ−Ｎ＿ＳＳ＃５９までの値を有することができる。
【０２１８】
（規則＃Ａ）のように、Ｓ−ＴＴＩ別に相異なるＳ−Ｎ＿ＳＳが割り当てられ、１  ＲＡＤＩＯ  ＦＲＡＭＥ内で順次に増加する場合、ＤＭＲＳシーケンスグループホッピング（及び／または生成）のランダム化を増加させることができる。すなわち、Ｓ−ＴＴＩ別に相異なるＳ−Ｎ＿ＳＳが割り当てられ、１  ＲＡＤＩＯ  ＦＲＡＭＥ内で順次に増加する場合、ＤＭＲＳシーケンスが受ける（あるいはあたえる）干渉が效率的にランダム化できる。
【０２１９】
２）（規則＃Ｂ）１  Ｌ−ＳＬＯＴ（Ｌ−Ｎ＿ＳＳ＃Ｊ）内の、複数のＳ−ＴＴＩは、共通的に、Ｌ−Ｎ＿ＳＳ＃ＪをＳ−Ｎ＿ＳＳとして有する方式
【０２２０】
すなわち、端末がＳ−ＴＴＩに基づいてＶ２Ｘ通信を行う時、Ｌ−ＳＬＯＴ単位で定義されたＤＭＲＳシーケンスグループホッピング（及び／または生成）に対した情報を利用して、ＤＭＲＳシーケンスグループホッピング（及び／または生成）を行うことができる。
【０２２１】
このときのＤＭＲＳシーケンスグループホッピング（及び／または生成）に対した情報（すなわち、Ｓ−Ｎ＿ＳＳ）を数式的に表現すると、以下のとおりである。例えば、Ｌ−ＴＴＩ＃Ｎ上の、Ｑ番目のＳ−ＴＴＩが、Ｌ−Ｎ＿ＳＳ＃Ｊ（Ｊ＝２＊ＮあるいはＪ＝２＊Ｎ＋１）に属した場合を数式的に表現すると、以下のとおりである。
【０２２２】
〔数式的表現〕：Ｓ−Ｎ＿ＳＳ＝（Ｎ＊２＋（Ｊ  ＭＯＤＵＬＯ  ２））（ここで、０≦Ｊ≦１９）
【０２２３】
すなわち、１  ＲＡＤＩＯ  ＦＲＡＭＥ内、Ｓ−ＴＴＩのＳ−Ｎ＿ＳＳ値は、［０，（９＊２＋１）］範囲を有することができる。
【０２２４】
なお、擬似乱数（ＰＳＥＵＤＯ−ＲＡＮＤＯＭ）シーケンスジェネレータを初期化する時、以下のような規則に従うことができる。
【０２２５】
（１）Ｌ−ＴＴＩごとに初期化（従来のＲＥＬ−１４動作と同一）
【０２２６】
（２）Ｌ−ＳＬＯＴ（あるいは事前に設定（／シグナリング）された個数のＬ−ＳＬＯＴ束）ごとに初期化
【０２２７】
このとき、事前に設定（／シグナリング）された複数（Ｘ）のＳ−ＴＴＩが、同じＳ−Ｎ＿ＳＳ値を有する方式で拡張可能である。
【０２２８】
このときのＤＭＲＳシーケンスグループホッピング（及び／または生成）に対した情報（すなわち、Ｓ−Ｎ＿ＳＳ）を数式的に表現すると、以下のとおりでありうる。例えば、Ｌ−ＴＴＩ＃Ｎ上のＱ番目のＳ−ＴＴＩが、１  ＲＡＤＩＯ  ＦＲＡＭＥ内の総Ｋ＊１０個のＳ−ＴＴＩの中で、Ｗ番目の（Ｗ≦Ｋ＊１０）Ｓ−ＴＴＩであるときの場合を数式的に表現すると、以下のとおりである。
【０２２９】
〔数式的表現〕：Ｓ−Ｎ＿ＳＳ＝（Ｗ  ＭＯＤＵＬＯ  Ｘ）
【０２３０】
（１）Ｘ値は、一つのＬ−ＳＬＯＴ（あるいはＬ−ＴＴＩ）を構成するＳ−ＴＴＩの総個数で定義されうる
【０２３１】
（２）Ｘ値は、事前にシグナリング（／設定）された値でありうる。
【０２３２】
なお、擬似乱数（ＰＳＥＵＤＯ−ＲＡＮＤＯＭ）シーケンスジェネレータを初期化する時、以下のような規則に従うことができる。
【０２３３】
例えば、ＰＳＥＵＤＯ−ＲＡＮＤＯＭ ＳＥＱ．ＧＥＮＥＲＡＴＯＲ初期化は、Ｘ個のＳ−ＴＴＩ束（あるいはＳ−ＴＴＩ）ごとに初期化させるか、またはＬ−ＴＴＩごとに初期化させることができる。
【０２３４】
理解の便宜のために、（規則＃Ｂ）での例を図面を介して説明すると、以下のとおりである。
【０２３５】
［規則＃Ｂ図の例示］：１  Ｌ−ＴＴＩが６個のＳ−ＴＴＩから構成された場合（Ｋ＝６）
【０２３６】
図１５は、（規則＃Ｂ）による、Ｓ−Ｎ＿ＳＳ値を付与する方法の一例を概略的に示す図である。
【０２３７】
図１５によると、一つのラジオフレームは、総１０個のレガシーサブフレーム（Ｌ−ＴＴＩ）を有することができる。このときのレガシーサブフレームは、Ｌ−Ｎ＿ＳＳＦ＃０からＬ−Ｎ＿ＳＳＦ＃９までの値を有することができる。
【０２３８】
一つのレガシーサブフレームには、二つのレガシースロット（Ｌ−ＳＬＯＴ）が存在でき、このとき、一つのラジオフレーム内では、レガシースロットは、順次に増加される値を有することができる。例えば、一つのラジオフレームには、Ｌ−Ｎ＿ＳＳ＃０からＬ−Ｎ＿ＳＳ＃１９までの値を有するレガシースロットが存在できる。
【０２３９】
レガシーサブフレームが１４個のＯＦＤＭシンボルから構成されると、例えば、第１番目のＳ−ＴＴＩは、３個のＯＦＤＭシンボル（ＯＦＤＭ  ｓｙｍｂｏｌ；ＯＳ）の長さを有し、第２番目のＳ−ＴＴＩは、２個のＯＦＤＭシンボルの長さを、第３番目のＳ−ＴＴＩは、２個のＯＦＤＭシンボルの長さを、第４番目のＳ−ＴＴＩは、２個のＯＦＤＭシンボルの長さを、第５番目のＳ−ＴＴＩは、２個のＯＦＤＭシンボルの長さを、第６番目のＳ−ＴＴＩは、３個のＯＦＤＭシンボルの長さを有することができる。
【０２４０】
上記のような状況において、同じレガシースロットのインデックス（すなわち、Ｌ−Ｎ＿ＳＳ）に属する各々のＳ−Ｎ＿ＳＳは、（レガシースロットインデックスと）同じ値を有することができる。
【０２４１】
例えば、Ｌ−Ｎ＿ＳＳ＃０に対応するレガシーＴＴＩに属するＳ−ＴＴＩは、全部Ｓ−Ｎ＿ＳＳ＃０の値を有することができ、Ｌ−Ｎ＿ＳＳ＃１に対応するレガシーＴＴＩに属するＳ−ＴＴＩは、全部Ｓ−Ｎ＿ＳＳ＃１の値を有することができる。これによる場合には、一つのラジオフレームには、Ｓ−Ｎ＿ＳＳ＃１からＳ−Ｎ＿ＳＳ＃１９まで存在できる。
【０２４２】
（規則＃Ｂ）のように、１  Ｌ−ＳＬＯＴ（Ｌ−Ｎ＿ＳＳ＃Ｊ）内の、複数のＳ−ＴＴＩは、共通的に、Ｌ−Ｎ＿ＳＳ＃ＪをＳ−Ｎ＿ＳＳとして有する方式に従う場合、１  Ｌ−ＳＬＯＴ（Ｌ−Ｎ＿ＳＳ＃Ｊ）内の、複数のＳ−ＴＴＩは、共通的に、Ｌ−Ｎ＿ＳＳ＃ＪをＳ−Ｎ＿ＳＳとして有する方式に従う場合、Ｓ−ＴＴＩ基盤のＶ２Ｘ端末がＶ２Ｘ通信を行う時、例えば、レガシー端末に対するシーケンスジェネレータを使用することができる。これにより、Ｓ−ＴＴＩのためのシーケンスジェネレータに対する別の設計が要らないから、設計の複雑度が減少できる。
【０２４３】
２．チャネルスクランブリングに使用される情報
【０２４４】
１  ＲＡＤＩＯ  ＦＲＡＭＥ内、Ｌ−ＴＴＩ＃Ｎ（０≦Ｎ≦９）上の、Ｑ番目の（Ｑ≦Ｋ）Ｓ−ＴＴＩのＳ−Ｎ＿ＳＳＦ値は、以下の規則により決定されることができる。（Ｓ−ＴＴＩ上の、スクランブリング関数初期化関連、Ｃ＿ＩＮＩＴ値計算時使用）
【０２４５】
その例として１）Ｓ−ＴＴＩ別に相異なるＳ−Ｎ＿ＳＳＦが割り当てられる方式と、２）Ｑ番目のＳ−ＴＴＩのＳ−Ｎ＿ＳＳ値が「Ｐ」に決定された場合、該当Ｓ−ＴＴＩのＳ−Ｎ＿ＳＳＦ値も同様に「Ｐ」に決まる方式、３）事前に設定された複数（Ｘ）のＳ−ＴＴＩが、同じＳ−Ｎ＿ＳＳＦ値を有する方式が存在できる。以下では、各々の例をさらに具体的に説明する。
【０２４６】
１）Ｓ−ＴＴＩ別に相異なるＳ−Ｎ＿ＳＳＦが割り当てられる方式
【０２４７】
チャネルスクランブリングに使用される情報（すなわち、Ｓ−Ｎ＿ＳＳＦ）の値は、Ｓ−ＴＴＩ別に各々の相異なるＳ−Ｎ＿ＳＳＦ値が割り当てられることができ、一例として、このときのＳ−Ｎ＿ＳＳＦ値は、一つのフレームにおいて順次に増加できる。
【０２４８】
２）（規則＃Ｃ）該当Ｑ番目のＳ−ＴＴＩのＳ−Ｎ＿ＳＳ値が「Ｐ」に決定された場合、該当Ｓ−ＴＴＩのＳ−Ｎ＿ＳＳＦ値も同様に「Ｐ」に決まる方式
【０２４９】
すなわち、Ｓ−Ｎ＿ＳＳＦの値は、Ｓ−Ｎ＿ＳＳ値と同様に決定されることができ、このときのチャネルスクランブリングに使用される情報を数式的に表現すると、以下のとおりでありうる。
【０２５０】
〔数式的表現〕：−Ｎ＿ＳＳＦ＝Ｓ−Ｎ＿ＳＳ
【０２５１】
特に、前記規則＃Ａに従って、Ｓ−Ｎ＿ＳＳ値が決定される時に有用でありうる。
【０２５２】
ＳＣＲＡＭＢＬＩＮＧ  ＳＥＱ．ＧＥＮＥＲＡＴＯＲ初期化規則は、以下のとおりでありうる。
【０２５３】
（１）Ｓ−ＴＴＩ（あるいは事前に設定された個数のＳ−ＴＴＩ束）ごとに初期化
【０２５４】
（２）Ｌ−ＴＴＩごとに初期化（従来のＲＥＬ−１４動作と同一）
【０２５５】
または、下記のように他の例が存在できる。
【０２５６】
３）（規則＃Ｄ）事前に設定された複数（Ｘ）のＳ−ＴＴＩが、同じＳ−Ｎ＿ＳＳＦ値を有する方式
【０２５７】
Ｌ−ＴＴＩ＃Ｎ上のＱ番目のＳ−ＴＴＩが、１  ＲＡＤＩＯ  ＦＲＡＭＥ内の総Ｋ＊１０個Ｓ−ＴＴＩのうち、Ｗ番目の（Ｗ≦Ｋ＊１０）Ｓ−ＴＴＩであるときの例を数式を介して説明すると、以下のとおりでありうる。
【０２５８】
〔数式的表現〕：Ｓ−Ｎ＿ＳＳＦ＝（Ｗ  ＭＯＤＵＬＯ  Ｘ）
【０２５９】
（１）Ｘ値は、一つのＬ−ＴＴＩ（あるいはＬ−ＳＬＯＴ）を構成するＳ−ＴＴＩの総個数で定義されることができる
【０２６０】
（２）Ｘ値は、事前にシグナリング（／設定）された値でありうる
【０２６１】
ＳＣＲＡＭＢＬＩＮＧ  ＳＥＱ．  ＧＥＮＥＲＡＴＯＲ初期化規則は、以下のとおりでありうる。
【０２６２】
（１）Ｘ個のＳ−ＴＴＩ束（あるいはＳ−ＴＴＩ）ごとに初期化
【０２６３】
（２）Ｌ−ＴＴＩごとに初期化（従来のＲＥＬ−１４動作と同一）
【０２６４】
以後、Ｖ２Ｘ端末は、前記決定に基づいてＳ−ＴＴＩ基盤のＶ２Ｘ通信を行うことができる（Ｓ１３２０）。
【０２６５】
例えば、Ｖ２Ｘ端末は、Ｓ−ＴＴＩ単位で定義されたＤＭＲＳシーケンス生成及び／またはホッピングに対する情報を利用して、ＤＭＲＳシーケンス生成及び／またはホッピングを行うものの、前記Ｖ２Ｘ端末がチャネルスクランブリングに使用される情報を決定する時、Ｓ−ＴＴＩ別に相異なるＳ−Ｎ＿ＳＳＦが割り当てられる方式と、Ｑ番目のＳ−ＴＴＩのＳ−Ｎ＿ＳＳ値が「Ｐ」に決定された場合、該当Ｓ−ＴＴＩのＳ−Ｎ＿ＳＳＦ値も同様に「Ｐ」に決まる方式、または事前に設定された複数（Ｘ）のＳ−ＴＴＩが、同じＳ−Ｎ＿ＳＳＦ値を有する方法を取ることができる。
【０２６６】
あるいは、例えば、Ｖ２Ｘ端末は、Ｌ−ＳＬＯＴ単位で定義されたＤＭＲＳシーケンス生成及び／またはホッピングに対する情報を利用して、ＤＭＲＳシーケンス生成及び／またはホッピングを行うものの、前記Ｖ２Ｘ端末がチャネルスクランブリングに使用される情報を決定する時、Ｓ−ＴＴＩ別に相異なるＳ−Ｎ＿ＳＳＦが割り当てられる方式、Ｑ番目のＳ−ＴＴＩのＳ−Ｎ＿ＳＳ値が「Ｐ」に決定された場合、該当Ｓ−ＴＴＩのＳ−Ｎ＿ＳＳＦ値も同様に「Ｐ」に決まる方式、または事前に設定された複数（Ｘ）のＳ−ＴＴＩが、同じＳ−Ｎ＿ＳＳＦ値を有する方法を取ることができる。
【０２６７】
前記説明した（一部）提案方式が適用される場合、Ｓ−ＴＴＩの最大ＳＦ（／ＴＴＩ）ＩＮＤＥＸは、「ＭＯＤＵＬＯ  １０（例、ＳＬＯＴ  ＩＮＤＥＸ０〜１９）（あるいは３２（例、ＳＬＯＴ  ＩＮＤＥＸ０〜６３）あるいは１６（例、ＳＬＯＴ  ＩＮＤＥＸ０〜３１））」（例、ＰＳＥＵＤＯ−ＲＡＮＤＯＭ ＳＥＱ．ＧＥＮＥＲＡＴＯＲに入っていく入力パラメータ）方式により決定されうる。
【０２６８】
（前記（一部）提案方式において）Ｓ−Ｎ＿ＳＳそして／あるいはＳ−Ｎ＿ＳＳＦ（そして／あるいはＬ−Ｎ＿ＳＳそして／あるいはＬ−Ｎ＿ＳＳＦ）などの値は、事前に（ネットワークから）設定（／シグナリング）されうる。
【０２６９】
前記（一部あるいはすべての）提案方法を利用したＳ−ＴＴＩに基づいたＶ２Ｘ通信は、Ｓ−ＴＴＩに応じるＶ２Ｘ通信とＬ−ＴＴＩに応じるＶ２Ｘ通信が共存しているかどうかによって行われることもできる。これについて図面を介して説明すると、以下のとおりである。
【０２７０】
図１６は、本発明の他の実施の形態による、Ｓ−ＴＴＩに基づいたＶ２Ｘ通信遂行方法のフローチャートである。
【０２７１】
図１６によれば、端末は、Ｓ−ＴＴＩに応じるＶ２Ｘ通信と、Ｌ−ＴＴＩに応じるＶ２Ｘ通信が共存しているかどうかを決定する（Ｓ１６１０）。このとき、前記端末は、Ｓ−ＴＴＩに基づいたＶ２Ｘ通信を行う端末（すなわち、アドバンス端末）を意味できる。
【０２７２】
以後、端末は、前記決定に基づいて、ＤＭＲＳシーケンス生成（及び／またはホッピング）に使用されるパラメータ及び／またはチャネルスクランブリングに使用されるパラメータを決定できる（Ｓ１６２０）。
【０２７３】
例えば、Ｓ−ＴＴＩに応じるＶ２Ｘ通信と、Ｌ−ＴＴＩに応じるＶ２Ｘ通信が共存しない場合、端末は、レガシー端末が端末自身のＶ２Ｘ通信により影響を受けること（あるいは端末がレガシー端末のＶ２Ｘ通信により影響を受けること）を考慮しなくても良いので、端末は、Ｓ−ＴＴＩに基づいたＤＭＲＳシーケンス生成及び／またはホッピングに使用される情報及びＳ−ＴＴＩに基づいたチャネルスクランブリングに使用される情報をＳ−ＴＴＩに基づいたＶ２Ｘ通信を行うための情報として決定できる。これによる場合、ＤＭＲＳシーケンスホッピング（及び／または生成）ランダム化が増加できる。
【０２７４】
例えば、Ｓ−ＴＴＩに応じるＶ２Ｘ通信と、Ｌ−ＴＴＩに応じるＶ２Ｘ通信が共存する場合、図１３によるＤＭＲＳシーケンス生成及び／またはホッピングに使用される情報及び／またはチャネルスクランブリングに使用される情報に対する実施形態が適用されることができる。
【０２７５】
ただし、前記記載されたＳ−ＴＴＩに応じるＶ２Ｘ通信と、Ｌ−ＴＴＩに応じるＶ２Ｘ通信が共存しているかどうかに基づいて、ＤＭＲＳシーケンス生成及び／またはホッピングに使用される情報及び／またはチャネルスクランブリングに使用される情報に対する決定の例示は、説明の便宜のための例示に過ぎず、上に記載された例示により本発明が限定されるものではない。すなわち、Ｓ−ＴＴＩに応じるＶ２Ｘ通信と、Ｌ−ＴＴＩに応じるＶ２Ｘ通信が共存しない場合にも、図１３によるＤＭＲＳに使用される情報及び／またはチャネルスクランブリングに使用される情報に対する実施形態が適用されることができる。
【０２７６】
以後、前記決定に基づいてＳ−ＴＴＩ基盤のＶ２Ｘ通信を行うことができる（Ｓ１６３０）。
【０２７７】
前記説明した提案方式に対する一例もまた、本発明の具現方法の一つとして含まれることができるので、一種の提案方式として見なされることができることは明白な事実である。
【０２７８】
また、前記説明した提案方式は、独立的に具現されうるが、一部提案方式の組み合わせ（あるいは併合）形態により具現されうる。
【０２７９】
一例として、本発明では、説明の便宜のために３ＧＰＰ  ＬＴＥシステムを基盤に提案方式を説明したが、提案方式が適用されるシステムの範囲は、３ＧＰＰ  ＬＴＥシステムの他に、他のシステムへも拡張可能である。
【０２８０】
一例として、本発明の提案方式は、Ｄ２Ｄ通信のためにも拡張適用可能である。
【０２８１】
ここで、一例として、Ｄ２Ｄ通信は、ＵＥが他のＵＥと直接無線チャネルを利用して通信するのを意味し、ここで、一例として、ＵＥは、ユーザの端末を意味するが、基地局のようなネットワーク装備がＵＥ間の通信方式に従って信号を送／受信する場合には、やはり一種のＵＥとして見なされることができる。
【０２８２】
また、一例として、本発明の提案方式は、ＭＯＤＥ  ３  Ｖ２Ｘ動作（そして／あるいはＭＯＤＥ  ４  Ｖ２Ｘ動作）のみに限定的に適用されうる。
【０２８３】
また、一例として、本発明の提案方式は、事前に設定（／シグナリング）された（特定）Ｖ２Ｘチャネル（／シグナル）転送（例えば、ＰＳＳＣＨ（そして／あるいは（連動された）ＰＳＣＣＨそして／あるいはＰＳＢＣＨ））のみに限定的に適用されうる。
【０２８４】
また、一例として、本発明の提案方式は、ＰＳＳＣＨと（連動された）ＰＳＣＣＨが（周波数領域上において）隣接（ＡＤＪＡＣＥＮＴ）（そして／あるいは離隔（ＮＯＮ−ＡＤＪＡＣＥＮＴ））されて転送される場合（そして／あるいは事前に設定（／シグナリング）されたＭＣＳ（そして／あるいはコーディングレートそして／あるいはＲＢ）（値（／範囲））基盤の転送が行われる場合）のみに限定的に適用されうる。
【０２８５】
また、一例として、本発明の提案方式は、ＭＯＤＥ＃３（そして／あるいはＭＯＤＥ＃４）Ｖ２Ｘ  ＣＡＲＲＩＥＲ（そして／あるいは（ＭＯＤＥ＃４（／３））ＳＬ（／ＵＬ）ＳＰＳ（そして／あるいはＳＬ（／ＵＬ）ＤＹＮＡＭＩＣ  ＳＣＨＥＤＵＬＩＮＧ）ＣＡＲＲＩＥＲ）間にのみ限定的に適用されうる。
【０２８６】
また、一例として、本発明の提案方式は、ＣＡＲＲＩＥＲ間に同期シグナル（転送（そして／あるいは受信））資源位置そして／あるいは個数（そして／あるいはＶ２Ｘ資源プール関連サブフレーム位置そして／あるいは個数（そして／あるいはサブチャネル大きさそして／あるいは個数））が同じ（そして／あるいは（一部）相異なる）場合のみに（限定的に）適用されうる。
【０２８７】
図１７は、本発明の実施形態が具現される通信装置を示したブロック図である。
【０２８８】
図１７を参照すると、基地局１００は、プロセッサ（ｐｒｏｃｅｓｓｏｒ）１１０、メモリ（ｍｅｍｏｒｙ）１２０及びトランシバ（ｔｒａｎｓｃｅｉｖｅｒ）１３０を含む。図示のプロセッサ、メモリ及びトランシバがそれぞれ別のチップにより具現されるか、または少なくとも二以上のブロック／機能が一つのチップを介して具現されることができる。
【０２８９】
プロセッサ１１０は、提案された機能、過程及び／または方法を具現する。メモリ１２０は、プロセッサ１１０に接続されて、プロセッサ１１０を駆動するための多様な情報を格納する。トランシバ１３０は、プロセッサ１１０に接続されて、無線信号を転送及び／または受信する。
【０２９０】
端末２００は、プロセッサ２１０、メモリ２２０及びトランシバ２３０を含む。プロセッサ２１０は、提案された機能、過程及び／または方法を具現する。メモリ２２０は、プロセッサ２１０に接続されて、プロセッサ２１０を駆動するための多様な情報を格納する。トランシバ２３０は、プロセッサ２１０に接続されて、無線信号を転送及び／または受信する。端末２００は、他の端末に前述した方法に従ってＶ２Ｘ信号を転送／再転送できる。
【０２９１】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。トランシバ１３０、２３０は、無線信号を転送及び／または受信する一つ以上のアンテナを含むことができる。実施形態がソフトウェアにより具現される時、上述した技法は、上述の機能を行うモジュール（過程、機能など）により具現されることができる。モジュールは、メモリ１２０、２２０に格納され、プロセッサ１１０、２１０により実行されることができる。メモリ１２０、２２０は、プロセッサ１１０、２１０の内部または外部にあることができ、周知の多様な手段によりプロセッサ１１０、２１０に接続されることができる。
【０２９２】
図１８は、プロセッサに含まれる装置の一例を示すブロック図である。
【０２９３】
図１８によれば、プロセッサ１８００は、機能的な側面で情報決定部１８１０、通信遂行部１８２０を含むことができる。
【０２９４】
ここで、情報決定部１８１０は、前記Ｓ−ＴＴＩ基盤のＶ２Ｘ通信を行う時に使用されるＤＭＲＳ（ｄｅｍｏｄｕｌａｔｉｏｎ  ｒｅｆｅｒｅｎｃｅ  ｓｉｇｎａｌ）に対する情報及び前記Ｓ−ＴＴＩ基盤のＶ２Ｘ通信を行う時に使用されるチャネルスクランブリングに対する情報を決定する機能を有することができる。
【０２９５】
通信遂行部１８２０は、前記決定に基づいて前記Ｓ−ＴＴＩ基盤のＶ２Ｘ通信を行う機能を有することができる。
【０２９６】
前記記載したプロセッサに含まれる装置に対する説明は、一つの例示に過ぎず、プロセッサは、他の機能的な要素ないし装置をさらに含むことができる。また、前記記載した各機能的な装置が行う動作に対する具体的な例は、前述した通りであるので、これについての重複する説明は省略する。
【図１】
2020511905.tif 000012
【図２】
2020511905.tif 000013
【図３】
2020511905.tif 000014
【図４】
2020511905.tif 000015
【図５】
2020511905.tif 000016
【図６】
2020511905.tif 000017
【図７】
2020511905.tif 000018
【図８】
2020511905.tif 000019
【図９】
2020511905.tif 000020
【図１０】
2020511905.tif 000021
【図１１】
2020511905.tif 000022
【図１２】
2020511905.tif 000023
【図１３】
2020511905.tif 000024
【図１４】
2020511905.tif 000025
【図１５】
2020511905.tif 000026
【図１６】
2020511905.tif 000027
【図１７】
2020511905.tif 000028
【図１８】
2020511905.tif 000029
【国際調査報告】
2020511905.tif 000030
2020511905.tif 000031
2020511905.tif 000032
2020511905.tif 000033